(57)【要約】【課題】可動体に加わった外力が移動手段に作用して負荷がかかることを抑制することができる遊技機を提供すること。【解決手段】下部パネル２００は、回動アーム２７０を後方位置へ回動させることでトーションバネ２３０の付勢力に抗して第１位置側へ回動され、回動アーム２７０を前方位置へ回動させることでトーションバネ２３０の付勢力により第２位置側へ回動可能となる。遊技者が手で表示面２００ａを第１位置側に向けて押し込むと、連結ベルト２９０が撓むことにより、回動アーム２７０が前方位置に維持されたままで連結軸２２１が連結軸２７１に近づくことが可能となるので、下部パネル２００の移動が許容される。【選択図】図２１
2015077190.tif 000002
【特許請求の範囲】
【請求項１】
所定の遊技を行うことが可能な遊技機であって、
第１位置と該第１位置とは異なる第２位置との間で変化可能に設けられた可動体と、
前記可動体を前記第２位置側へ付勢する付勢手段と、
前記可動体に連結手段を介して連結される移動体を有し、該移動体を第１移動位置と該第１移動位置とは異なる第２移動位置との間で移動させる移動手段と、
を備え、
前記可動体は、前記移動手段が前記移動体を前記第１移動位置に移動させることで前記付勢手段の付勢力に抗して前記第１位置側へ移動され、前記移動体が前記第２移動位置に移動可能とされることで前記付勢手段の付勢力により前記第２位置側へ移動され、
前記連結手段は、前記可動体が前記第２位置にあるとき、前記移動体を前記第２移動位置から前記第１移動位置へ移動させることなく該可動体が前記第１位置側へ移動することを許容する
ことを特徴とする遊技機。
【発明の詳細な説明】
【技術分野】
【０００１】
本発明は、所定の遊技を行うことが可能な遊技機に関する。
【背景技術】
【０００２】
遊技機として代表されるスロットマシンやパチンコ遊技機等の遊技機において、例えば、移動可能に設けられた可動体を移動させることにより演出の向上を図るものが提案されている。
【０００３】
例えば、スロットマシンにおいて、スタートスイッチやストップスイッチの下方に設けられた下パネル（可動体）を、左右方向に並設された複数のパーツにて構成するとともに、これら各パーツを下辺を中心として個別に回動可能とし、内部当選フラグの成立状況等に応じていずれかのパーツを回転させて開放させる演出を行うもの等があった（例えば、特許文献１参照）。
【先行技術文献】
【特許文献】
【０００４】
【特許文献１】特開２００９−１７２０９２号公報
【発明の概要】
【発明が解決しようとする課題】
【０００５】
上記特許文献１に記載の遊技機では、下パネルを開放したときに、遊技者の手や膝あるいは遊技者が着座する椅子などが接触して押し戻されることで、加えられた外力が下パネルを移動させる移動手段に作用して該駆動源に負荷がかかり、故障の原因等になるという問題があった。
【０００６】
本発明は、このような問題点に着目してなされたもので、可動体に加わった外力が移動手段に作用して負荷がかかることを抑制することができる遊技機を提供することを目的とする。
【課題を解決するための手段】
【０００７】
前記課題を解決するために、本発明の請求項１に記載の遊技機は、
所定の遊技を行うことが可能な遊技機（例えば、スロットマシン１／パチンコ遊技機１００１）であって、
第１位置（例えば、第１位置、図５（Ａ）参照／第１位置、図２７（Ａ）参照）と該第１位置とは異なる第２位置（例えば、第２位置、図５（Ｂ）参照／第２位置、図２７（Ｂ）参照）との間で変化可能に設けられた可動体（例えば、下部パネル２００／下部パネル２００及び回動アーム２７０／ボタンカバー４０２／可動パネル５００）と、
前記可動体を前記第２位置側に付勢する付勢手段（例えば、トーションバネ２３０／圧縮バネ４０３）と、
前記可動体に連結手段（例えば、連結ベルト２９０／伝達手段２８０／連結手段４０４）を介して連結される移動体（例えば、回動アーム２７０／回動体２６０／回動アーム４０５）を有し、該移動体を第１移動位置（例えば、後方位置、図１９（Ａ）、図２０（Ａ）参照／第１移動位置、図２７（Ａ）参照）と該第１移動位置とは異なる第２移動位置（例えば、前方位置、図１９（Ｃ）中実線位置、図２０（Ｃ）参照／第２移動位置、図２７（Ｂ）参照）との間で移動させる移動手段（例えば、駆動ユニット２４０／回動体４０６）と、
を備え、
前記可動体は、前記移動手段が前記移動体を前記第１移動位置に移動させることで前記付勢手段の付勢力に抗して前記第１位置側へ移動され、前記移動体が前記第２移動位置に移動可能とされることで前記付勢手段の付勢力により前記第２位置側へ移動され（例えば、下部パネル２００は、回動アーム２７０を後方位置へ回動させることでトーションバネ２３０の付勢力に抗して第１位置側へ回動され、駆動モータ２５０Ｌ，２５０Ｒにより回動体２６０を第２方向に回動させ、伝達手段２８０を伝達状態から非伝達状態に変化させることにより、回動アーム２７０が回動体２６０に対し相対回動可能となり前方位置へ回動可能となることで、トーションバネ２３０の付勢力により第２位置側へ回動可能となる。／ボタンカバー４０２は、回動アーム４０５を第１移動位置へ回動させることで圧縮バネ４０３の付勢力に抗して第１位置側へ移動され、回動体４０６を回動させて伝達手段４１０を伝達状態から非伝達状態に変化させることにより、回動アーム４０５が回動体４０６に対し相対回動可能となり第２移動位置へ回動可能となることで、圧縮バネ４０３の付勢力により第２位置側へ移動可能となる。）、
前記連結手段は、前記可動体が前記第２位置にあるとき、前記移動体を前記第２移動位置から前記第１移動位置へ移動させることなく該可動体が前記第１位置側へ移動することを許容する（例えば、図２１（Ｂ）に示すように、遊技者が手で表示面２００ａを第１位置側に向けて押し込むと、連結ベルト２９０が撓むことにより、回動アーム２７０が前方位置に維持されたままで連結軸２２１が連結軸２７１に近づくことが可能となるので、下部パネル２００の移動が許容される。／図２７（Ｃ）に示すように、ボタンカバー４０２の操作面４０２ａが下方に押圧されると、連結軸４０９にガイドされながら連結手段４０４が下方に移動するため、回動アーム４０５が第２移動位置にあってもボタンカバー４０２が下降することができる。）
ことを特徴としている。
この特徴によれば、可動体を付勢手段の付勢力を利用して第１位置から第２位置へ移動させることができるとともに、可動体が第２位置にあるとき、移動体を第２移動位置から第１移動位置へ移動させることなく該可動体が第１位置側へ移動することが許容されることで、可動体に外力が加わって第１位置側へ移動しても該外力が移動手段に作用することがないので、移動手段に負荷がかかることを抑制できる。
【０００８】
本発明の手段１の遊技機は、請求項１に記載の遊技機であって、
前記移動手段（例えば、駆動ユニット２４０／回動体４０６）は、
所定の駆動源（例えば、駆動モータ２５０Ｌ，２５０Ｒ）により駆動される駆動体（例えば、回動体２６０／回動体４０６）と、
前記駆動体の駆動力を前記移動体（例えば、回動アーム２７０／回動アーム４０５）に伝達する手段であって、前記駆動体の駆動力を前記移動体に伝達する伝達状態（例えば、プランジャ２７３ａ，２７３ｂが凹部２６４ａ，２６５ａ、２６４ｂ，２６５ｂに嵌合される状態）において所定以上の力が加わることで前記駆動体の駆動力を前記移動体に伝達しない非伝達状態（例えば、プランジャ２７３ａ，２７３ｂが凹部２６４ａ，２６５ａ、２６４ｂ，２６５ｂから逸脱された状態）に変化する伝達手段（例えば、伝達手段２８０は、図２４（Ｂ）に示すように、回動アーム２７０が引っ張られる力が所定以上になると、プランジャ２７３ａ，２７３ｂが凹部２６４ａ，２６５ａの内面により押圧されて突出位置から退避位置へ退避され、凹部２６４ａ，２６５ａから逸脱して非伝達状態に変化する）と、
を有する
ことを特徴としている。
この特徴によれば、可動体が第１位置にあるときに無理に第２位置側に移動されても、所定以上の力が加わることで伝達手段が非伝達状態となることで、可動体に加わった力が移動体及び駆動体を介して駆動源に作用することがないので、駆動源に負荷がかかることを抑制できる。
【０００９】
本発明の手段２の遊技機は、請求項１または手段１に記載の遊技機であって、
前記可動体（例えば、下部パネル２００／ボタンカバー４０２／可動パネル５００）は、遊技者により操作可能な操作部（例えば、表示面２００ａ）を有し、前記第２位置（例えば、第２位置、図５（Ｂ）参照）へ移動することで前記操作部が遊技者側に近づき、前記第１位置（例えば、第１位置、図５（Ａ）参照）へ移動することで前記操作部が遊技者側から遠ざかるように設けられている（例えば、図５参照）
ことを特徴としている。
この特徴によれば、可動体を第２位置から第１位置へ移動させるときに、操作部が遊技者から遠ざかり上方から叩きにくいことで、可動体が壊れにくくなる。
【００１０】
本発明の手段３の遊技機は、請求項１、手段１、手段２のいずれかに記載の遊技機であって、
前記可動体（例えば、下部パネル２００）は、
透光性を有する透光板（例えば、カバーパネル２０５）と、
遊技者側から見て前記透光板の奥側に配置される導光板（例えば、導光板２０７）と、
前記導光板の端面に光を照射可能な発光体（例えば、演出用ＬＥＤ２１２，２１３）と、
を備え、
前記導光板は、前記発光体からの光を前記透光板側に向けて反射可能な反射部（例えば、反射部２１５）を有する（図９参照）
ことを特徴としている。
この特徴によれば、発光体は導光板の奥側に配置されないので、透光板に加えられた外力が導光板を通して発光体に作用することを抑制できる。
【００１１】
本発明の手段４の遊技機は、手段３に記載の遊技機であって、
遊技者側から見て前記導光板（例えば、導光板２０７）の奥側に、補強用のリブが設けられている
ことを特徴としている。
この特徴によれば、導光板が破壊されにくくすることができる。
【００１２】
本発明の手段５の遊技機は、請求項１、手段１〜手段４のいずれかに記載の遊技機であって、
前記可動体（例えば、下部パネル２００／ボタンカバー４０２／可動パネル５００）の側周面（例えば、下面２００ｂ、左右側面２００ｃなど）は、該可動体の移動方向に対し交差する方向に延設される段差が存在しない
ことを特徴としている。
この特徴によれば、遊技者が可動体の側周面を手で掴みにくくなるので、無理に第２位置側に移動されることを抑制できる。
【００１３】
本発明の手段６の遊技機は、請求項１、手段１〜手段５のいずれかに記載の遊技機であって、
前記連結手段は、弾性を有する弾性部材にて構成され（例えば、連結ベルト２９０はゴム材等からなる）、
前記移動手段（例えば、駆動ユニット２４０）は、前記弾性部材が弾性変形することにより、前記移動体（例えば、回動アーム２７０）を前記第２移動位置（例えば、前方位置、図２１（Ａ）参照）から前記第１移動位置（例えば、後方位置、図２１（Ｃ）参照）へ移動させることなく該可動体が前記第１位置側へ移動することを許容する際に、該弾性部材の一部を収容する収容部（例えば、収容凹部２７６）を有する（図２１（Ｂ）参照）
ことを特徴としている。
この特徴によれば、弾性部材が汚れたり周囲の部材に引っ掛かることを防止できる。
【００１４】
本発明の手段７の遊技機は、請求項１、手段１〜手段６のいずれかに記載の遊技機であって、
前記可動体（例えば、下部パネル２００／ボタンカバー４０２／可動パネル５００）は、前記遊技機（例えば、スロットマシン１／パチンコ遊技機１００１）の装飾パネルの一部を構成する装飾面（例えば、表示面２００ａ）を有する
ことを特徴としている。
この特徴によれば、遊技者にインパクトを与えることができる。
【００１５】
本発明の手段８の遊技機は、請求項１、手段１〜手段７のいずれかに記載の遊技機であって、
前記可動体（例えば、下部パネル２００／ボタンカバー４０２／可動パネル５００）は、
前記遊技機の装飾パネルの一部を構成する透光性を有する透光板（例えば、カバーパネル２０５）と、
遊技者から見て前記透光板の奥側に配置される導光板（例えば、導光板２０７）と、
前記導光板の端面に光を照射可能な発光体（例えば、演出用ＬＥＤ２１２，２１３）と、
前記導光板の奥側に配置される半透明フィルム（例えば、半透明フィルム２０８）と、
前記半透明フィルムの奥側に配置された装飾部材（例えば、装飾フィルム２０９）と、
を備え、
前記導光板は、前記発光体からの光を前記透光板側に向けて反射可能な反射部（例えば、反射部２１５）を有する（図９参照）
ことを特徴としている。
この特徴によれば、導光板に発光体からの光が入射されたときに装飾部材の装飾が見えてしまうことを防止できる。
【図面の簡単な説明】
【００１６】
【図１】本発明が適用された実施例１のスロットマシンの正面図である。
【図２】スロットマシンの内部構造を示す斜視図である。
【図３】スロットマシンの構成を示すブロック図である。
【図４】（Ａ）は下部パネルが第１位置にある状態を示す斜視図、（Ｂ）は第２位置にある状態を示す斜視図である。
【図５】（Ａ）は下部パネルが第１位置にある状態を示す側面図、（Ｂ）は第２位置にある状態を示す側面図である。
【図６】下部パネル及び基体の構造を斜め前から見た状態を示す分解斜視図である。
【図７】下部パネル及び基体の構造を斜め後ろから見た状態を示す分解斜視図である。
【図８】カバー体の構造を示す分解斜視図である。
【図９】（Ａ）は導光板の発光状態、（Ｂ）は装飾フィルムの発光状態を示す図である。
【図１０】（Ａ）〜（Ｃ）は駆動ユニットの内部構造を示す斜視図である。
【図１１】駆動ユニットの内部構造を示す正面、左側面、右側面、底面図である。
【図１２】（Ａ）は回動体及び回動アームを斜め前から見た状態、（Ｂ）は斜め後ろから見た状態を示す分解斜視図である。
【図１３】（Ａ）はロック機構を斜め前から見た状態、（Ｂ）は斜め後ろから見た状態を示す分解斜視図である。
【図１４】基体を示す背面図である。
【図１５】図１４のＡ−Ａ断面図である。
【図１６】（Ａ）は図１４のＢ−Ｂ断面図、（Ｂ）はＣ−Ｃ断面図である。
【図１７】（Ａ）は下部パネルが第１位置にある状態を示す縦断面図、（Ｂ）は下部パネルが第２位置にある状態を示す縦断面図である。
【図１８】下部パネルの要部を示す水平断面図である。
【図１９】（Ａ）〜（Ｃ）は下部パネルの高速突出動作態様を示す説明図である。
【図２０】（Ａ）〜（Ｃ）は下部パネルの低速突出動作態様を示す説明図である。
【図２１】（Ａ）〜（Ｃ）は下部パネルの押圧退避動作態様を示す説明図である。
【図２２】下部パネルの退避動作態様を示す説明図である。
【図２３】下部パネルの高速突出動作時において移動が規制された状態を示す説明図である。
【図２４】下部パネルに無理に外力が加えられた状態を示す説明図である。
【図２５】（Ａ）〜（Ｄ）は、下部パネルの突出動作を用いた演出の一例を示す説明図である。
【図２６】（Ａ）は高速突出動作を行うときのサブ制御部の高速移動制御内容の一例を示すタイミングチャートであり、（Ｂ）は低速突出動作を行うときのサブ制御部の低速突出制御内容の一例を示すタイミングチャートである。
【図２７】（Ａ）〜（Ｃ）は本発明の変形例としての演出ボタンの動作態様を示す概略図である。
【図２８】本発明の変形例としてのパチンコ遊技機を示す正面図である。
【発明を実施するための形態】
【００１７】
本発明に係るスロットマシンを実施するための形態を実施例に基づいて以下に説明する。
【実施例】
【００１８】
本発明が適用されたスロットマシンの実施例を図面を用いて説明する。尚、以下の説明においては、図１に示すスロットマシン１の正面に対峙したときの前後左右方向を基準として説明する。本実施例のスロットマシン１は、図２に示すように、前面が開口する筐体１ａと、この筐体１ａの側端に回動自在に枢支された前面扉１ｂと、から構成されている。
【００１９】
本実施例のスロットマシン１の筐体１ａの内部には、図２に示すように、外周に複数種の図柄が配列されたリール２Ｌ，２Ｃ，２Ｒ（以下、左リール、中リール、右リール）が水平方向に並設されており、図１に示すように、これらリール２Ｌ，２Ｃ，２Ｒに配列された図柄のうち連続する３つの図柄が前面扉１ｂに設けられた透視窓３Ｌ，３Ｃ，３Ｒからそれぞれ見えるように配置されている。
【００２０】
リール２Ｌ，２Ｃ，２Ｒの外周部には、特に図示しないが、それぞれ「黒７」、「網７（図中網掛け７）」、「白７」、「ＢＡＲ」、「リプレイ」、「プラム」、「スイカ」、「チェリー」、「ベル」、「オレンジ」等の互いに識別可能な複数種類の図柄が所定の順序で、それぞれ２１個ずつ描かれている。リール２Ｌ，２Ｃ，２Ｒの外周部に描かれた図柄は、前面扉１ｂに設けられた透視窓３Ｌ，３Ｃ，３Ｒにおいて各々上中下三段に表示される。
【００２１】
各リール２Ｌ，２Ｃ，２Ｒは、各々対応して設けられリールモータ３２Ｌ，３２Ｃ，３２Ｒ（図３参照）によって回動させることで、各リール２Ｌ，２Ｃ，２Ｒの図柄が透視窓３に連続的に変化しつつ表示されるとともに、各リール２Ｌ，２Ｃ，２Ｒの回動を停止させることで、透視窓３Ｌ，３Ｃ，３Ｒに３つの連続する図柄が表示結果として導出表示されるようになっている。
【００２２】
リール２Ｌ，２Ｃ，２Ｒの内側には、リール２Ｌ，２Ｃ，２Ｒそれぞれに対して、基準位置を検出するリールセンサ３３Ｌ，３３Ｃ，３３Ｒと、リール２Ｌ，２Ｃ，２Ｒを背面から照射するリールＬＥＤ５５と、が設けられている。また、リールＬＥＤ５５は、リール２Ｌ，２Ｃ，２Ｒの連続する３つの図柄に対応する１２のＬＥＤからなり、各図柄をそれぞれ独立して照射可能とされている。
【００２３】
前面扉１ｂの各リール２Ｌ，２Ｃ，２Ｒの手前側（遊技者側）の位置には、液晶表示器５１（図１参照）の表示領域５１ａが配置されている。液晶表示器５１は、液晶素子に対して電圧が印加されていない状態で透過性を有する液晶パネルを有しており、表示領域５１ａの透視窓３Ｌ，３Ｃ，３Ｒに対応する透過領域及び透視窓３Ｌ，３Ｃ，３Ｒを介して遊技者側から各リール２Ｌ，２Ｃ，２Ｒが視認できるようになっている。また、表示領域５１ａの透過領域を除く領域の裏面には、背後から表示領域５１ａを照射するバックライト（図示略）が設けられているとともに、さらにその裏面には、内部を隠蔽する隠蔽部材（図示略）が設けられている。
【００２４】
前面扉１ｂには、図１に示すように、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数（本実施例ではいずれの遊技状態においても３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ，２Ｃ，２Ｒの回動を各々停止する際に操作されるストップスイッチ８Ｌ，８Ｃ，８Ｒ、演出に用いるための演出用スイッチ５６が遊技者により操作可能にそれぞれ設けられている。
【００２５】
尚、本実施例では、回動を開始した３つのリール２Ｌ，２Ｃ，２Ｒのうち、最初に停止するリールを第１停止リールと称し、また、その停止を第１停止と称する。同様に、２番目に停止するリールを第２停止リールと称し、また、その停止を第２停止と称し、３番目に停止するリールを第３停止リールと称し、また、その停止を第３停止あるいは最終停止と称する。
【００２６】
また、前面扉１ｂには、図１に示すように、クレジットとして記憶されているメダル枚数が表示されるクレジット表示器１１、入賞の発生により払い出されたメダル枚数やエラー発生時にその内容を示すエラーコード等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回動開始を待機している状態）中である旨を点灯により報知するウェイト中ＬＥＤ１９、後述するリプレイゲーム中である旨を点灯により報知するリプレイ中ＬＥＤ２０が設けられた遊技用表示部１３が設けられている。
【００２７】
ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図３参照）が設けられており、ストップスイッチ８Ｌ，８Ｃ，８Ｒの内部には、該当するストップスイッチ８Ｌ，８Ｃ，８Ｒによるリールの停止操作が有効である旨を点灯により報知する左、中、右停止有効ＬＥＤ２２Ｌ，２２Ｃ，２２Ｒ（図３参照）がそれぞれ設けられている。
【００２８】
また、前面扉１ｂにおけるストップスイッチ８Ｌ，８Ｃ，８Ｒの下方には、スロットマシン１のタイトルなどが表示される下部パネル２００が設けられている。尚、下部パネル２００の詳細については後述する。
【００２９】
前面扉１ｂの背面には、図２に示すように、所定のキー操作により後述するエラー状態及び後述する打止状態を解除するためのリセット操作を検出するリセットスイッチ２３（図３参照）、後述する設定値の変更中や設定値の確認中にその時点の設定値が表示される設定値表示器２４、所定の契機で打止状態（リセット操作がなされるまでゲームの進行が規制される状態）に制御する打止機能の有効／無効を選択するための打止スイッチ３６ａ、所定の契機で自動精算処理（クレジットとして記憶されているメダルを遊技者の操作によらず精算（返却）する処理）に制御する自動精算機能の有効／無効を選択するための自動精算スイッチ３６ｂ、メダル投入部４から投入されたメダルの流路を、筐体１ａ内部に設けられた後述のホッパータンク３４ａ側またはメダル払出口９側のいずれか一方に選択的に切り替えるための流路切替ソレノイド３０（図３参照）、メダル投入部４から投入され、ホッパータンク３４ａ側に流下したメダルを検出する投入メダルセンサ３１ａ〜３１ｃ（図３参照）を有するメダルセレクタ２９、前面扉１ｂの開放状態を検出するドア開放検出スイッチ２５（図３参照）が設けられている。
【００３０】
前面扉１ｂの背面におけるメダル投入部４の直下には、メダルセレクタ２９が取り外し自在に設けられている。前面扉１ｂを背面から見てメダルセレクタ２９の右側には、メダルセレクタ２９の側面から流出したメダルをホッパータンク３４ａに誘導するメダルシュート１９６が取り付けられているとともに、メダルセレクタ２９の下方には、メダルセレクタ２９の背面下部から流出したメダルを下方のメダル払出口９に誘導するメダル返却通路１９１及びホッパーユニット３４から払い出されたメダルをメダル払出口９に誘導するメダル払出通路１９２を構成するメダル通路部材１９０が配設されている。
【００３１】
筐体１ａ内部には、図２に示すように、前述したリール２Ｌ，２Ｃ，２Ｒ、リールモータ３２Ｌ，３２Ｃ，３２Ｒ（図３参照）、各リール２Ｌ，２Ｃ，２Ｒのリール基準位置をそれぞれ検出可能なリールセンサ３３Ｌ，３３Ｃ，３３Ｒ（図３参照）からなるリールユニット２、外部出力信号を出力するための外部出力基板１０００（図３参照）、メダル投入部４から投入されたメダルを貯留するホッパータンク３４ａ、ホッパータンク３４ａに貯留されたメダルをメダル払出口９より払い出すためのホッパーモータ３４ｂ（図３参照）、ホッパーモータ３４ｂの駆動により払い出されたメダルを検出する払出センサ３４ｃ（図３参照）からなるホッパーユニット３４、電源ボックス１００が設けられている。
【００３２】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａ（図３参照）が設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【００３３】
電源ボックス１００の前面には、図２に示すように、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
【００３４】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。本実施例では、規定数の賭数として遊技状態に関わらず３枚が定められて規定数の賭数が設定されると入賞ラインＬＮが有効となる。尚、遊技状態に対応する規定数のうち最大数を超えてメダルが投入された場合には、その分はクレジットに加算される。
【００３５】
入賞ラインとは、各リール２Ｌ，２Ｃ，２Ｒの透視窓３に表示された図柄の組み合わせが入賞図柄の組み合わせであるかを判定するために設定されるラインである。本実施例では、図１に示すように、リール２Ｌの中段、リール２Ｃの中段、リール２Ｒの中段、すなわち中段に水平方向に並んだ図柄に跨って設定された入賞ラインＬＮのみが入賞ラインとして定められている。尚、本実施例では、１本の入賞ラインのみを適用しているが、複数の入賞ラインを適用しても良い。
【００３６】
ゲームが開始可能な状態でスタートスイッチ７を操作すると、各リール２Ｌ，２Ｃ，２Ｒが回動し、各リール２Ｌ，２Ｃ，２Ｒの図柄が連続的に変動する。この状態でいずれかのストップスイッチ８Ｌ，８Ｃ，８Ｒを操作すると、対応するリール２Ｌ，２Ｃ，２Ｒの回動が停止し、透視窓３に表示結果が導出表示される。
【００３７】
そして全てのリール２Ｌ，２Ｃ，２Ｒが停止されることで１ゲームが終了し、入賞ラインＬＮ上に予め定められた図柄の組み合わせ（以下、役とも呼ぶ）が各リール２Ｌ，２Ｃ，２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組み合わせが各リール２Ｌ，２Ｃ，２Ｒの表示結果として停止した場合には図柄の組み合わせに応じた遊技状態に移行するようになっている。
【００３８】
尚、本実施例では、３つのリールを用いた構成を例示しているが、リールが１つのみ用いた構成、２つのリールを用いた構成、４つ以上のリールを用いた構成としても良く、２以上のリールを用いた構成においては、２以上の全てのリールに導出された表示結果の組み合わせに基づいて入賞を判定する構成とすれば良い。
【００３９】
図３は、スロットマシン１の構成を示すブロック図である。スロットマシン１には、図３に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００４０】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。
【００４１】
また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００４２】
遊技制御基板４０には、前述したＭＡＸＢＥＴスイッチ６、スタートスイッチ７、ストップスイッチ８Ｌ，８Ｃ，８Ｒ、精算スイッチ１０、リセットスイッチ２３、打止スイッチ３６ａ、自動精算スイッチ３６ｂ、投入メダルセンサ３１ａ〜３１ｃ、ドア開放検出スイッチ２５、リールセンサ３３Ｌ，３３Ｃ，３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。
【００４３】
また、遊技制御基板４０には、前述したクレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ，２２Ｃ，２２Ｒ、設定値表示器２４、流路切替ソレノイド３０、リールモータ３２Ｌ，３２Ｃ，３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００４４】
遊技制御基板４０には、遊技の制御を行うメイン制御部４１、メイン制御部４１の制御に用いるクロックを生成する制御用クロック生成回路４２、メイン制御部４１が搭載する乱数回路が乱数を生成する際に用いるクロックを生成する乱数用クロック生成回路４３、遊技制御基板４０に接続されるスイッチ類の検出を行うスイッチ検出回路４４、リールモータ３２Ｌ，３２Ｃ，３２Ｒを駆動させるモータ駆動回路４５、流路切替ソレノイド３０を駆動させるソレノイド駆動回路４６、ＬＥＤ類を駆動させるＬＥＤ駆動回路４７、遊技制御基板４０への供給電圧の低下を検知する電断検出回路４８、メイン制御部４１に対してリセット信号を与えるリセット回路４９が搭載されている。
【００４５】
メイン制御部４１は、１チップマイクロコンピュータにて構成され、ゲーム制御（遊技進行制御）用のプログラム等を記憶するＲＯＭ、ワークメモリとして使用されるＲＡＭ、プログラムに従って制御動作を行うＣＰＵが内蔵されており、遊技の進行に関する処理を行うととともに、遊技制御基板４０に搭載された制御回路の各部を直接的または間接的に制御する。
【００４６】
また、メイン制御部４１は、遊技の進行等に応じて演出制御基板９０に対して各種のコマンドを送信する。
【００４７】
演出制御基板９０には、スロットマシン１の前面扉１ｂに配置された液晶表示器５１（図１参照）、演出効果ＬＥＤ５２、スピーカ５３，５４、リールＬＥＤ５５、後述する下部パネル２００に設けられた駆動モータ２５０Ｌ，２５０Ｒ、ロック用モータ３１１、第１センサ２６３、第２センサ３２３、第３センサ３２４、第４センサ３２５等の演出装置が接続されており、これら演出装置は、演出制御基板９０に搭載されたサブ制御部９１による制御に基づいて駆動されるようになっている。
【００４８】
演出制御基板９０には、メイン制御部４１と同様にＣＰＵ、ＲＯＭ、ＲＡＭ等を備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５を駆動させるＬＥＤ駆動回路９３、スピーカ５３、５４からの音声出力制御を行う音声出力回路９４、サブ制御部９１対してリセット信号を与えるリセット回路９５、日付情報及び時刻情報を含む時間情報を出力する時計装置９７、演出制御基板９０への供給電圧の低下を検出する電断検出回路９８、その他の回路等、が搭載されており、サブ制御部９１は、メイン制御部４１から送信されるコマンドを受けて、演出を行うための各種の制御を行うとともに、演出制御基板９０に搭載された制御回路の各部を直接的または間接的に制御する。
【００４９】
次に、下部パネル２００の構造について、図４〜図１８に基づいて説明する。図４は、（Ａ）は下部パネルが第１位置にある状態を示す斜視図、（Ｂ）は第２位置にある状態を示す斜視図である。図５は、（Ａ）は下部パネルが第１位置にある状態を示す側面図、（Ｂ）は第２位置にある状態を示す側面図である。図６は、下部パネル及び基体の構造を斜め前から見た状態を示す分解斜視図である。図７は、下部パネル及び基体の構造を斜め後ろから見た状態を示す分解斜視図である。図８は、カバー体の構造を示す分解斜視図である。図９は、（Ａ）は導光板の発光状態、（Ｂ）は装飾フィルムの発光状態を示す図である。図１０は、（Ａ）〜（Ｃ）は駆動ユニットの内部構造を示す斜視図である。図１１は、駆動ユニットの内部構造を示す正面、左側面、右側面、底面図である。図１２は、（Ａ）は回動体及び回動アームを斜め前から見た状態、（Ｂ）は斜め後ろから見た状態を示す分解斜視図である。図１３は、（Ａ）はロック機構を斜め前から見た状態、（Ｂ）は斜め後ろから見た状態を示す分解斜視図である。図１４は、基体を示す背面図である。図１５は、図１４のＡ−Ａ断面図である。図１６は、（Ａ）は図１４のＢ−Ｂ断面図、（Ｂ）はＣ−Ｃ断面図である。図１７は、（Ａ）は下部パネルが第１位置にある状態を示す縦断面図、（Ｂ）は下部パネルが第２位置にある状態を示す縦断面図である。図１８は、下部パネルの要部を示す水平断面図である。
【００５０】
図１、図４及び図５に示すように、下部パネル２００は、前面扉１ｂの前面上下方向の略中央位置に左右方向に向けて形成された操作台１２０と、前面扉１ｂの前面下部に左右方向に向けて形成されメダル払出口９から払い出されたメダルを貯留可能な下皿１２１と、の間に配設されている。下部パネル２００は、正面視略横長長方形状をなし、上辺に設けられた回動軸（図示略）を中心として、表示面２００ａが正面側を向く第１位置（図４（Ａ）、図５（Ａ）参照）と、表示面２００ａが上辺から下辺に向けて前側に傾斜する第２位置（図４（Ｂ）、図５（Ｂ）参照）と、の間で回動可能に設けられている。また、図５（Ａ）に示すように、表示面２００ａは第１位置においても上辺から下辺に向けて前側に傾斜しているが、第２位置にあるときの傾斜角度θ２よりも第１位置にあるときの傾斜角度θ１は小さい（θ２＞θ１）。
【００５１】
当該スロットマシン１にて遊技を行う遊技者の目線は、透視窓３Ｌ，３Ｃ，３Ｒとほぼ同等の高さにあるため、第１位置においても表示面２００ａがやや上向きになるように傾斜することで、表示面２００ａに表示された画像（図９参照）を遊技者が視認しやすくなっている。また、下部パネル２００は、遊技者がゲームを進行するために操作するスタートスイッチ７やストップスイッチ８Ｌ，８Ｃ，８Ｒよりも下方に配設されており、かつ、上辺を中心として回動可能に設けられていることで、遊技者は後述するように手で表示面２００ａを押圧する際には斜め下側に向けて押し込むように操作するようになっている。また、第１位置において下辺は下皿１２１の前端とほぼ前後方向の同位置に位置することで、第２位置において可変は下皿１２１の前端よりも前方に位置するようになっている。
【００５２】
図６及び図７に示すように、下部パネル２００は、前面が開口する略箱状に形成されたベース体２０１と、該ベース体２０１の前面側に組付けられ該ベース体２０１の前面開口を閉鎖するカバー体２０２と、により構成され、前面扉１ｂの下部を構成する基体１２２の前面に設けられた左右方向を向く回動軸１２３を中心として、前後方向に回動可能に取り付けられている。また、基体１２２の前面には、第１位置において下部パネル２００の背面側を収容可能な収容凹部１２４が収容可能とされているとともに、該収容凹部１２４の下辺からは、下部パネル２００が第１位置にあるときに該下部パネル２００の下端面を被覆する被覆片１２５が前方に突設されている。
【００５３】
図８に示すように、カバー体２０２は、透光性を有する合成樹脂材にて構成され表示面２００ａを形成するカバーパネル２０５と、カバーパネル２０５の背面側に配置される枠状の組付枠２０６と、組付枠２０６の背面側から組み付けられ透過性が高い透明な合成樹脂板にて構成される導光板２０７と、導光板２０７の背面側に配置される半透明フィルム２０８（透明フィルムよりも透過率が低いフィルム、スモークフィルムなど）と、半透明フィルム２０８の背面側に配置され透明フィルムにて構成される装飾フィルム２０９と、該装飾フィルム２０９の背面側に配置され所定の板厚（例えば、約２ｍｍ）を有する透明な合成樹脂材からなり、半透明フィルム２０８及び装飾フィルム２０９を導光板２０７との間で挟持して保護する保護パネル２１０と、保護パネル２１０の背面側に配置され光を拡散可能な透光性シート材からなる光拡散シート２１１と、下面に複数の演出用ＬＥＤ（発光ダイオード）２１２が配設されたＬＥＤ基板２１２ａと、上面に複数の演出用ＬＥＤ（発光ダイオード）２１３が配設されたＬＥＤ基板２１３ａと、前面に複数の演出用ＬＥＤ（発光ダイオード）２１４が配設されたＬＥＤ基板２１４ａ，２１４ｂと、を有している。
【００５４】
導光板２０７、半透明フィルム２０８、装飾フィルム２０９、保護パネル２１０、光拡散シート２１１は、互いに前後に重ね合わされ一体化された状態で組付枠２０６に背面側から取り付けられている。また、ＬＥＤ基板２１２ａ，２１３ａ，２１４ａ，２１４ｂは、図６及び図７に示すように、ベース体２０１の前面に取り付けられている。
【００５５】
図９（Ａ）に示すように、導光板２０７は、所定の板厚（例えば、約３ｍｍ）を有し、例えば、特殊インキなどにより所定の表示部２１６（例えば、「ＰＵＳＨ」の文字と背景などのパターンや文字等）がスクリーン印刷された転写シートを合成樹脂材料とともに射出成型またはヒートプレス成型等により成型し、成型された合成樹脂板から転写シートを剥離することで、表面に凹凸部からなる反射部２１５を有する表示部２１６が転写されてなる。尚、スタンパーやインジェクションにより導光板２０７の背面に凹凸部からなる反射部を形成してもよいし、例えばアクリル板に白色インクで反射ドットを印刷したシルク印刷方式や、アクリル板と反射板とをドット状の粘着材で貼り付けた貼着ドット方式や、溝加工方式等により反射部を構成しても良い。
【００５６】
また、導光板２０７の上下には、ＬＥＤ基板２１２ａ，２１３ａが上辺及び下辺に沿うように配置され、該導光板２０７の上下端面に演出用ＬＥＤ２１２，２１３の光を入射できるようになっている。よって、演出用ＬＥＤ２１２，２１３を発光することで、該演出用ＬＥＤ２１２，２１３からの光が導光板２０７内に入射され、内部を導光された光が凹凸部からなる反射部２１５にて前方に反射して、図９（Ａ）に示す「ＰＵＳＨ」の文字と背景などからなる表示部２１６が視認可能となる。
【００５７】
また、演出用ＬＥＤ２１２，２１３からの光の大半は反射部２１５により前方に反射されて導光板２０７の前面から前方に出射されるが、一部の僅かな光が導光板２０７内にて乱反射して導光板２０７の背面からも出射されるが、背面から出射された光は背面側に配置された半透明フィルム２０８を透過し難くなることで、導光板２０７から背面側に出射された光により背面側の装飾フィルム２０９の表示部２１７（例えば、図９（Ｂ）参照）が照らされて、表示部２１６が表示されているときにその背面側の表示部２１７が映り込んで視認可能となることが防止されている。
【００５８】
尚、演出用ＬＥＤ２１２，２１３は、７色の光を発光可能であり、また、左右方向に向けて複数配置されていることで、例えば、「ＰＵＳＨ」の各アルファベットに対応する演出用ＬＥＤ２１２，２１３のみを発光させることで、表示部２１６の一部を部分的に表示させたり、各部を異なる発光色にて表示させることも可能である。
【００５９】
図９（Ｂ）に示すように、装飾フィルム２０９は、背面に所定の表示部２１７（例えば、キャラクタの画像）が印刷等により施されている。表示部２１７は、透光性を有するインキ等にて印刷されていることで、装飾フィルム２０９の背面側に前方に向けて光を出射可能に配設される演出用ＬＥＤ２１４を発光することで、該演出用ＬＥＤ２１４からの光が均一に広がるように光拡散シート２１１にて拡散され、保護パネル２１０を透過した光が装飾フィルム２０９の表示部２１７を透過し、半透明フィルム２０８、導光板２０７を透過して前方に出射されることで、表示部２１７が視認可能となる。
【００６０】
このように、表示部２１６を表示するときには対応する演出用ＬＥＤ２１２，２１３を表示させ、表示部２１７を表示するときには演出用ＬＥＤ２１４を発光させることにより視認可能となるので、表示面２００ａを透して表示部２１６，２１７のいずれかを選択的に表示することが可能である。
【００６１】
また、表示部２１６，２１７の表示内容は種々に変更可能であり、絵柄、図柄、文字、機種のタイトル名など種々の内容の画像に変更可能であり、上記のものに限定されるものではない。また、本実施例では、演出用ＬＥＤ２１２，２１３は導光板２０７の上端面及び下端面に光を入射可能に設けられていたが、左右側端面に光を入射可能に設けられていてもよい。つまり、上端面、下端面、左右側端面のうち少なくとも一の端面に光を入射可能に設けられていればよい。
【００６２】
図６及び図７に示すように、カバーパネル２０５、組付枠２０６、導光板２０７、半透明フィルム２０８、装飾フィルム２０９、保護パネル２１０、光拡散シート２１１が一体に組付けられたカバー体２０２は、ベース体２０１の前面に図示しないネジ等により一体に取り付けられる。
【００６３】
ベース体２０１の前面には、ＬＥＤ基板２１２ａ，２１３ａ，２１４ａ，２１４ｂが取り付けられるとともに、後述する取付部材２１８が取り付けられている。取付部材２１８は、側面視後向きコ字形をなす取付板２１９と、該取付板２１９の背面に突設された左右一対の支持板２２０と、支持板２２０間に支持された左右方向を向く連結軸２２１と、から構成されており、ベース体２０１に形成された挿通孔２２２を介して、支持板２２０及び連結軸２２１がベース体２０１の背面側に突出するように取り付けられる（図１５参照）。また、ベース体２０１の背面における挿通孔２２２の右側には、後述するガイドアーム３００が挿通される挿通孔２２３が形成されている。
【００６４】
ベース体２０１の背面上部には、基体１２２に設けられた回動軸１２３を回動可能に軸支する軸支部２２４が、ベース体２０１の上辺に沿うように互いに隙間を隔てて複数形成されている。また、ベース体２０１の背面には、上下方向を向くリブ２２５が互いに間隔をあけて左右方向に複数突設されており、これら複数のリブ２２５により、ベース体２０１の強度が高められ、捩れや撓みが生じ難くなっている。
【００６５】
基体１２２は、該基体１２２における収容凹部１２４の右側上部に、背面側のメダルセレクタ２９（図２参照）を取り付けるための取付部１２６が前方に膨出するように形成されていることで、収容凹部１２４の上辺に沿って設けられる回動軸１２３は、収容凹部１２４の上辺左端から中央よりやや右側位置まで、取付部１２６を避けるように設けられている。つまり、回動軸１２３は、収容凹部１２４の上辺の左右方向全長にわたり設けられていない。よって、下部パネル２００側のベース体２０１の軸支部２２４も、上辺左端から中央よりやや右側位置までの間にのみ形成され、上辺左右方向にわたり設けられていない。尚、本実施例では、回動軸１２３は下部パネル２００の上辺全長にわたり設けられていないが、左右方向全長にわたり設けてもよい。
【００６６】
また、回動軸１２３には、下部パネル２００を第２位置側に向けて付勢する付勢手段としてのトーションバネ２３０が、軸支部２２４に対応しない位置に互いに隙間を隔てて複数（例えば、本実施例では１４本）設けられている。これらトーションバネ２３０は、一端が基体１２２に係止され、他端がベース体２０１に係止されており、下部パネル２００が第１位置にある圧縮状態において第２位置へ付勢することが可能な付勢力を有するとともに、下部パネル２００が第２位置にある伸長状態において該第２位置に維持することが可能な付勢力を有している。また、基体１２２の背面には、下部パネル２００を第１位置と第２位置との間で回動（移動）させる移動手段としての駆動ユニット２４０が取り付けられている。
【００６７】
また、基体１２２におけるベース体２０１の挿通孔２２２に対応する位置には、後述する連結ベルト２９０を挿通するための挿通孔１２７が形成されているとともに、基体１２２におけるベース体２０１の挿通孔２２３に対応する位置には、後述するガイドアーム３００を挿通するための挿通孔１２８が形成されている。
【００６８】
図１０〜図１３に示すように、駆動ユニット２４０は、下部パネル２００を移動させるための駆動機構２４１と、下部パネル２００を移動案内するとともに、第１位置にて保持（ロック）するためのロック機構２４２と、から構成されている。尚、図１０〜図１３には、説明の便宜上、駆動ユニット２４０にもベース体２０１側に取り付けられる取付部材２１８の支持板２２０やガイドアーム３００が一部図示されている。
【００６９】
駆動機構２４１は、出力軸２５０ａが上向きになるように左右に並設された２つの駆動モータ２５０Ｌ，２５０Ｒと、それぞれの出力軸２５０ａに固着された第１ギヤ２５１Ｌ，２５１Ｒと、第１ギヤ２５１Ｌ，２５１Ｒそれぞれに噛合する第２ギヤ２５２Ｌ，２５２Ｒと、第２ギヤ２５２Ｌ，２５２Ｒ双方に噛合する第３ギヤ２５３と、該第３ギヤ２５３の上部に該第３ギヤ２５３と同心をなすように一体化されたウォームギヤからなる第４ギヤ２５４と、左右方向を向く連結軸２５８の左端に固着され第４ギヤ２５４に噛合する第５ギヤ２５５と、連結軸２５８の左端に固着された第６ギヤ２５６と、第６ギヤ２５６に噛合される第７ギヤ２５７と、第７ギヤ２５７が左端に固着された連結軸２５９の右端に固着される回動体２６０と、回動体２６０の周囲に環装され該回動体２６０を中心として回動する回動アーム２７０と、回動体２６０の回動力を回動アーム２７０に伝達可能な伝達手段２８０と、下部パネル２００の連結軸２２１と回動アーム２７０の先端左右側面に突設された連結軸２７１とに掛け渡され下部パネル２００のベース体２０１と回動アーム２７０とを連結する連結ベルト２９０と、から主に構成されている。
【００７０】
これら駆動モータ２５０Ｌ，２５０Ｒ、第１ギヤ２５１Ｌ，２５１Ｒ、第２ギヤ２５２Ｌ，２５２Ｒ、第３ギヤ２５３、第４ギヤ２５４、第５ギヤ２５５、第６ギヤ２５６、第７ギヤ２５７、連結軸２５８は、ギヤボックス２９１（図６及び図７参照）の内部に組付けられ、該ギヤボックス２９１を介して基体１２２の背面に図示しないネジ等により取り付けられている。また、回動体２６０及び回動アーム２７０は、連結軸２５９の両端が互いに所定間隔を隔てて配置される左右一対の支持板２９２ａ，２９２ｂに回動可能に軸支され、該支持板２９２ａ，２９２ｂ及びギヤボックス２９１を介して図示しないネジ等により基体１２２の背面に取り付けられている。
【００７１】
図１２に示すように、回動体２６０は、左端に第７ギヤ２５７が固着された連結軸２５９に固着される左右一対の円盤２６１Ｌ，２６１Ｒと、円盤２６１Ｌ，２６１Ｒの間に挟持された検出円盤２６２と、検出円盤２６２における対向位置に形成された検出溝２６２ａ，２６２ｂを検出する第１センサ２６３と、から主に構成される。円盤２６１Ｌの周面において回動中心を挟んで対向する位置には凹部２６４ａ，２６４ｂが形成されているとともに、円盤２６１Ｒの周面において凹部２６４ａ，２６４ｂと円周方向の同位置には凹部２６５ａ，２６５ｂが形成されている。これら凹部２６４ａ，２６４ｂ、２６５ａ，２６５ｂは、側面視略三角形状をなしており、角部はエッジのない湾曲面にて形成されている。
【００７２】
回動アーム２７０は、側面視略カム形状をなし、円盤２６１Ｌ，２６１Ｒが回動可能に挿入される円形の貫通孔２７１ａ，２７１ｂを有するアーム部材２７１Ｌ，２７１Ｒを互いに重ね合わせて一体化することによりに形成される。アーム部材２７１Ｌ，２７１Ｒそれぞれの外側面には、貫通孔２７１ａ，２７１ｂの周縁下部から下方に向けて延びる凹溝２７２ａ，２７２ｂが形成されており、該凹溝２７２ａ，２７２ｂには、プランジャ２７３ａ，２７３ｂが長手方向に摺動可能に設けられているとともに、プランジャ２７３ａ，２７３ｂよりも下方には、圧縮バネ２７４ａ，２７４ｂが該プランジャ２７３ａ，２７３ｂを上方の円盤２６１Ｌ，２６１Ｒに向けて付勢するように設けられている。プランジャ２７３ａ，２７３ｂの先端は、凹部２６４ａ，２６４ｂ，２６５ａ，２６５ｂそれぞれに入り込んで嵌合可能なように側面視略半円状に形成されている。尚、これら凹溝２７２ａ，２７２ｂは蓋板２７５ａ，２７５ｂによりそれぞれ閉鎖されている。
【００７３】
アーム部材２７１Ｌ，２７１Ｒの下部内面には、前方に向けて広がるように開放する側面視略三角形状をなすベルト収容凹部２７６ａ，２７６ｂが凹設されており、アーム部材２７１Ｌ，２７１Ｒが一体化されたときに一つのベルト収容凹部２７６が形成される。また、ベルト収容凹部２７６ａ，２７６ｂそれぞれの内側壁には、左右方向を向く連結軸２７１の左右端がそれぞれ支持されている。連結軸２７１には、前述したように連結ベルト２９０が掛けられるため、これら左右のアーム部材２７１Ｌ，２７１Ｒにより、連結ベルト２９０の連結軸２７１の軸心方向への逸脱が規制される。
【００７４】
連結ベルト２９０は、例えば、硬質ゴム材等により環状に形成されており、可撓性及び弾性を有し、下部パネル２００の連結軸２２１と回動アーム２７０の連結軸２７１とに掛け渡されることで、下部パネル２００と回動アーム２７０とを連結しており、後述するように、回動アーム２７０の回動により下部パネル２００をトーションバネ２３０の付勢力に抗して第２位置から第１位置へ引っ張って移動させることができるようになっている。
【００７５】
このように構成される駆動機構２４１は、左右の駆動モータ２５０Ｌ，２５０Ｒの出力軸２５０ａを同時に同方向に回動駆動させることで、第１ギヤ２５１Ｌ，２５１Ｒの回動力が第２ギヤ２５２Ｌ，２５２Ｒ、第３ギヤ２５３、第４ギヤ２５４、第５ギヤ２５５、連結軸２５８、第６ギヤ２５６、第７ギヤ２５７、連結軸２５９を介して回動体２６０に伝達されるようになっている。
【００７６】
そして、プランジャ２７３ａ，２７３ｂの先端が圧縮バネ２７４ａ，２７４ｂの付勢力により凹部２６４ａ，２６５ａまたは凹部２６４ｂ，２６５ｂのいずれかに嵌合されている場合、回動体２６０の回動力がプランジャ２７３ａ，２７３ｂにより回動アーム２７０に伝達されて回動体２６０とともに回動アーム２７０が回動する。また、プランジャ２７３ａ，２７３ｂの先端が凹部２６４ａ，２６５ａまたは凹部２６４ｂ，２６５ｂから逸脱すると、回動体２６０の回動力がプランジャ２７３ａ，２７３ｂにより回動アーム２７０に伝達されず、回動体２６０に対し回動アーム２７０が相対回動可能となる。よって、トーションバネ２３０の付勢力により下部パネル２００が第２位置側に付勢されることで、下部パネル２００の連結軸２２１に連結ベルト２９０にて連結された回動アーム２７０の連結軸２７１が前方に引っ張られて、回動体２６０に対し回動アーム２７０が相対回動する。つまり、プランジャ２７３ａ，２７３ｂ、圧縮バネ２７４ａ，２７４ｂ、凹部２６４ａ，２６５ａ、凹部２６４ｂ，２６５ｂは、回動体２６０の回動力を回動アーム２７０に伝達可能な伝達手段２８０を構成している。
【００７７】
また、第１センサ２６３は、プランジャ２７３ａ，２７３ｂの先端が圧縮バネ２７４ａ，２７４ｂの付勢力により凹部２６４ａ，２６５ａまたは凹部２６４ｂ，２６５ｂのいずれかに嵌合されているとき（伝達手段２８０が伝達状態にあるとき）に検出溝２６２ａ，２６２ｂ双方を検出するようになっているので、サブ制御部９１は、検出溝２６２ａ，２６２ｂが第１センサ２６３にて検出されたとき、プランジャ２７３ａ，２７３ｂの先端が圧縮バネ２７４ａ，２７４ｂの付勢力により凹部２６４ａ，２６５ａまたは凹部２６４ｂ，２６５ｂのいずれかに嵌合されていると判定する。
【００７８】
図１３に示すように、ロック機構２４２は、基体１２２の背面に取り付けられる支持板３１０と、支持板３１０の右側面に固定されるロック用モータ３１１と、ロック用モータ３１１の出力軸３１１ａに固着される駆動ギヤ３１２と、駆動ギヤ３１２に噛合する従動ギヤ３１３と、一外側面に従動ギヤ３１３に噛合する歯部３１４ａが形成される側面視略Ｕ字形状のラックギヤ３１４と、ラックギヤ３１４の２つの片部の間に摺動可能に設けられるプランジャ３１５と、プランジャ３１５とラックギヤ３１４の基部の間に設けられプランジャ３１５を付勢する圧縮バネ３１６と、から主に構成されている。
【００７９】
駆動ギヤ３１２、従動ギヤ３１３、ラックギヤ３１４、プランジャ３１５、圧縮バネ３１６は、支持板３１０に取り付けられるカバー体３１７（図１０（Ａ）、図１６（Ｂ）参照）内に設けられており、特に従動ギヤ３１３はカバー体３１７の内面に回動可能に支持され、ラックギヤ３１４、プランジャ３１５、圧縮バネ３１６はカバー体３１７の内面に設けられた図示しないガイド部にて移動可能に支持されている。また、プランジャ３１５の左側面にはフック状の検出片３１５ａが設けられており、該検出片３１５ａは、支持板３１０に形成されたガイド溝３１８を挿通して支持板３１０の左側に配設されている。
【００８０】
支持板３１０の上部には、ガイドアーム３００を移動案内する回動軸１２３を中心とする円弧状のガイド溝３２０が、背面側に向けて斜め上側に傾斜するように形成されており、ガイド溝３２０の前端には緩衝部材３２１が設けられている。支持板３１０の左側面におけるガイド溝３２０の前部上方には、ガイドアーム３００を案内するガイドローラ３２２が左右方向を向く軸部材（図示略）を介して回動可能に軸支されている。また、支持板３１０の左側面には、ガイドアーム３００の検出片３０３を検出する第２センサ３２３、第３センサ３２４が取り付けられているとともに、プランジャ３１５の検出片３１５ａを検出する第４センサ３２５が設けられている。
【００８１】
ガイドアーム３００は、アーム部材３０１Ｌ，３０１Ｒとから構成されている。アーム部材３０１Ｌ，３０１Ｒは、下部パネル２００の回動軸１２３を中心とする円弧状に形成されたアーム部３０１ａと該アーム部の先端に形成される上下方向を向く取付部３０１ｂとにより構成され、双方の取付部３０１ｂが接着されることでアーム部材３０１Ｌ，３０１Ｒが一体化されてなる。また、左側のアーム部材３０１Ｌの取付部３０１ｂのみアーム部３０１ａよりも板厚に形成されていることで、一体化された状態において、左右のアーム部材３０１Ｌ，３０１Ｒは互いに離間配置されてなる。
【００８２】
そして、アーム部材３０１Ｌは支持板３１０の左側、アーム部材３０１Ｒは支持板３１０の右側にそれぞれ配置され、双方のアーム部３０１ａは、前部が連結軸３０５、後部が連結軸３０６にて互いに離間した状態で連結されるとともに、連結軸３０６がガイド溝３２０に前後移動可能に挿通されることで、ガイドアーム３００の移動範囲が規制されるようになっている。
【００８３】
アーム部材３０１Ｌのアーム部３０１ａの上辺には、ガイドローラ３２２に噛合するラックギヤ３０２が形成されていることで、アーム部材３０１Ｌはガイドローラ３２２により移動案内されている。アーム部材３０１Ｒのアーム部３０１ａの下辺所定箇所には切欠凹部３０４が形成されている。切欠凹部３０４は、ガイド辺３０４ａと規制辺３０４ｂとにより側面視略三角形状に形成され、プランジャ３１５の先端が嵌合可能な深さを有しているとともに、規制辺３０４ｂは下辺３０１ｃに対し略垂直に切り立っていることで、プランジャ３１５の先端が嵌合されることでガイドアーム３００の前方への移動が規制辺３０４ｂにて規制されるようになっている。
【００８４】
このように構成されるロック機構２４２は、下部パネル２００が第１位置にあるとき、アーム部材３０１Ｒの下辺３０１ｃに形成された切欠凹部３０４が、プランジャ３１５に対応する位置に配置される。ここで、ロック用モータ３１１によりラックギヤ３１４をアーム部材３０１Ｒに近接するロック位置（図１６（Ｂ）参照）に位置させるとともに、プランジャ３１５は、圧縮バネ３１６によりラックギヤ３１４に対しアーム部材３０１Ｒ側に付勢された突出位置（図１６（Ｂ）参照）に位置するため、プランジャ３１５の先端は切欠凹部３０４に嵌合され、規制辺３０４ｂにプランジャ３１５が係止される。これによりガイドアーム３００の前方への移動が規制され下部パネル２００が第１位置に保持（ロック）される。
【００８５】
また、ロック用モータ３１１によりラックギヤ３１４をアーム部材３０１Ｒから離れるロック解除位置（図１７（Ｂ）参照）に移動させると、プランジャ３１５の先端が切欠凹部３０４から逸脱するので、ガイドアーム３００の前方への移動が可能となる。また、ラックギヤ３１４がロック解除位置にあるときには、プランジャ３１５の先端は下辺３０１ｃに接触しなくなるので、アーム部材３０１Ｒにプランジャ３１５の抵抗がかからなくなる。
【００８６】
また、下部パネル２００が第１位置にないときに、ロック用モータ３１１によりラックギヤ３１４をロック位置に移動させると、プランジャ３１５に対応する位置に切欠凹部３０４がないため、プランジャ３１５の先端は下辺３０１ｃに当接する。このとき、ラックギヤ３１４がアーム部材３０１Ｒに近づくため、プランジャ３１５は圧縮バネ３１６の不勢力に抗してラックギヤ３１４に対し突出しない退避位置（図２０（Ａ）参照）に移動する。これにより、プランジャ３１５の先端は下辺３０１ｃに押圧される（ロック待機状態）。
【００８７】
尚、第４センサ３２５は、プランジャ３１５が突出位置にあるとき、つまり、切欠凹部３０４に嵌合されているときに検出片３１５ａを検出する。また、第２センサ３２３は、下部パネル２００が第１位置にあるときにガイドアーム３００の検出片３０３を検出し、第３センサ３２４は、下部パネル２００が第２位置にあるときにガイドアーム３００の検出片３０３を検出する。
【００８８】
次に、図１４〜図１７に基づいて、下部パネル２００の基体１２２に対する取付状態及び駆動ユニット２４０との連結構造について説明する。
【００８９】
図１４〜図１７に示すように、下部パネル２００は、基体１２２の前面に設けられた左右方向を向く回動軸１２３に上辺が軸支されており、図１７（Ａ）に示す第１位置と図１７（Ｂ）に示す第２位置との間で回動可能に設けられているとともに、回動軸１２３に設けられた複数のトーションバネ２３０により、第２位置側に付勢された状態で基体１２２に取り付けられている。また、駆動ユニット２４０を構成する駆動機構２４１とロック機構２４２は、ベース体２０１の背面にそれぞれ取り付けられている。
【００９０】
下部パネル２００の背面、つまり、ベース体２０１の背面からは、図１５に示すように、支持板２２０及び連結軸２２１が後方に突出されており、連結軸２２１は、挿通孔１２７を通して基体１２２の背面側に挿通された連結ベルト２９０を介して駆動機構２４１側の連結軸２７１に連結されている。回動体２６０及び回動アーム２７０の回動中心となる連結軸２５９は、下部パネル２００を軸支する回動軸１２３よりも若干下方に位置しており、回動アーム２７０は、連結軸２７１が連結軸２５９よりも下方に位置した状態で該連結軸２７１が前後に回動されるように設けられている。具体的には、下部パネル２００が第１位置にあるときは、連結軸２７１が後方に位置する後方位置（図１９（Ａ）に示す位置参照）と、連結軸２７１が前方に位置する前方位置（図２０（Ｃ）に示す位置参照）と、の間で回動する。
【００９１】
このように下部パネル２００は、回動アーム２７０が後方位置にあるときには、トーションバネ２３０の付勢力に抗して第１位置に保持され、回動アーム２７０が前方位置にあるときには第２位置へ移動可能となる。尚、プランジャ３１５が切欠凹部３０４に嵌合（ロック）されていれば、回動アーム２７０が後方位置に位置しなくても、下部パネル２００は第１位置に保持される。また、回動アーム２７０が前方位置にあるときには、下部パネル２００はトーションバネ２３０の付勢力により第２位置に維持されるが、トーションバネ２３０の付勢力に抗して表示面２００ａを押圧すれば、連結ベルト２９０が撓むことで、第１位置側へ移動させることもできる。
【００９２】
図１６及び図１７に示すように、ガイドアーム３００のアーム部材３０１Ｌ，３０１Ｒは後方に向けて突出されており、これらアーム部材３０１Ｌ，３０１Ｒは、挿通孔１２８を通して基体１２２の背面側に挿通されてロック機構２４２側の支持板３１０の左右側に配置される。また、アーム部材３０１Ｌ，３０１Ｒを連結する連結軸３０６が支持板３１０に形成されたガイド溝３２０に挿通され、連結軸３０６がガイド溝３２０に沿って移動案内されている。
【００９３】
連結軸３０６は、下部パネル２００が第１位置にあるときはガイド溝３２０の後端よりやや前側に位置し（図１９（Ａ）参照）、下部パネル２００が第２位置にあるときはガイド溝３２０の前端に当接する（図１９（Ｃ）参照）。つまり、下部パネル２００は、実際には第１位置よりもやや後方の第３位置（図１９（Ｂ）中２点鎖線位置参照）まで移動可能とされている。これにより、下部パネル２００をロック機構２４２により保持（ロック）するときに、切欠凹部３０４をプランジャ３１５を通過して該プランジャ３１５のやや後方まで移動させることができるので、プランジャ３１５が切欠凹部３０４に嵌合しやすくなっている。
【００９４】
ガイドアーム３００は、前側の取付部３０１ｂが、ベース体２０１に形成された挿通孔２２３を挿通して該ベース体２０１の前面に取り付けられた取付板２１９の背面に接着剤等を介して固着されているとともに、ベース体２０１の背面における挿通孔２２３の上下縁に突設された壁部２２３ａにより取付部３０１ｂの上下が嵌合され、さらに、連結軸３０５がリブ２２５の後辺に形成された係合溝２２５ａ内に背面側から係合されていることで、上下方向のがたつきが防止されている。このようにガイドアーム３００のロック機構２４２を備えることで、回動アーム２７０を後方位置へ移動させずに下部パネル２００を押圧して第１位置側に移動させたときに、該下部パネル２００を第１位置に保持することができる。
【００９５】
図１７に示すように、下部パネル２００は、第１位置にあるときに下面２００ｂが基体１２２に形成された被覆片１２５により被覆されるため、回動軸１２３と反対側の下面２００ｂを手で掴んで第１位置へ無理に引っ張ろうとすることができないようになっている。また、第２位置にあるときには、下面２００ｂの後部が被覆片１２５の前部と上下に重なって僅かな隙間しか形成されないことで、下部パネル２００の下面２００ｂと被覆片１２５との間に手を差し込んで、該下部パネル２００の背面下角部を手で掴んで無理に引っ張ることができないようになっている。
【００９６】
また、図１８に示すように、下部パネル２００が第１位置にあるときには、下部パネル２００の左右側面２００ｃに形成された段部２００ｄが、基体１２２の左右側に設けられたレンズカバー１２９等の部材により被覆されるため、段部２００ｄに手を掛けて第２位置側に無理に引っ張ることができないようになっている。
【００９７】
このように下部パネル２００は、遊技者等が手で下部パネル２００を掴んで無理に第２位置側に引っ張りにくい構造とされていることで、下部パネル２００に加えられた外力が連結ベルト２９０を介して駆動機構２４１等に作用して、各種ギヤや駆動モータ２５０Ｌ，２５０Ｒ等に負荷がかかることを回避できるようになっている。
【００９８】
また、このように下部パネル２００の下面２００ｂや左右側面２００ｃ等の側面に手を掛けることができる段部等を設けないようにしたり、下部パネル２００の角部を丸みを帯びた形状にすれば、より遊技者等が手で掴みにくくなるので、悪意のある遊技者が手で無理に引っ張ること等を防止することができる。
【００９９】
次に、サブ制御部９１による下部パネル２００の作動制御内容について、図１９〜図２５に基づいて説明する。図１９は、（Ａ）〜（Ｃ）は下部パネルの高速突出動作態様を示す説明図である。図２０は、（Ａ）〜（Ｃ）は下部パネルの低速突出動作態様を示す説明図である。図２１は、（Ａ）〜（Ｃ）は下部パネルの押圧退避動作態様を示す説明図である。図２２は、下部パネルの退避動作態様を示す説明図である。図２３は、下部パネルの高速突出動作時において移動が規制された状態を示す説明図である。図２４は、下部パネルに無理に外力が加えられた状態を示す説明図である。
【０１００】
下部パネル２００は、駆動初期位置が第１位置とされており、例えば、遊技中における所定のタイミングで第１位置から第２位置へ回動させたり、第２位置から第１位置へ回動させることができるとともに、第２位置にあるとき、遊技者により表示面２００ａが押圧されることで第１位置へ押し戻すことができるようになっている。また、下部パネル２００を第１位置から第２位置へ回動させるとき、トーションバネ２３０の付勢力を利用して高速で突出（移動）させることや、回動体２６０の回動力により下部パネル２００を第１位置から第２位置へ低速で退避（移動）させることができるようになっている。
【０１０１】
図１９に示すように、下部パネル２００が第１位置にあるとき、回動体２６０の凹部２６４ａ，２６５ａにプランジャ２７３ａ，２７３ｂの先端が嵌合されて回動体２６０の回動力が伝達手段２８０を介して回動アーム２７０に伝達される伝達状態とされ、回動アーム２７０は後方位置に位置している。このとき、回動アーム２７０に連結ベルト２９０を介して連結されている下部パネル２００は、回動アーム２７０が後方位置に位置することによりトーションバネ２３０の付勢力に抗して後方に引っ張られることで第１位置に保持されるが、基本的には、アーム部材３０１Ｒの切欠凹部３０４にプランジャ３１５が嵌合されて（ロック状態）アーム部材３０１Ｒの前方への移動が規制されていることにより、第１位置に保持されている。
【０１０２】
このように、プランジャ３１５によりアーム部材３０１Ｒの前方への移動を規制することによって下部パネル２００を駆動初期位置である第１位置に保持するようにすることで、回動アーム２７０が後方位置にあるときに連結ベルト２９０に大きな張力がかからないようにすることができるので、連結ベルト２９０が伸びるなど劣化しにくくなる。また、下部パネル２００が第１位置に保持されたときの前後方向のがたつきが防止される。
【０１０３】
次に、サブ制御部９１が第１位置にある下部パネル２００を高速突出動作により第２位置へ回動させる高速移動制御を行う場合の各部の作用について説明する。下部パネル２００を所定のタイミングで第１位置から第２位置へ回動させる場合、サブ制御部９１は、まず、図１９（Ａ）の状態から、ロック用モータ３１１によりラックギヤ３１４をロック位置からロック解除位置へ移動（退避）させ、突出位置にあるプランジャ３１５を切欠凹部３０４から退避させて保持状態を解除し、アーム部材３０１Ｒの前方への移動可能とする（ロック解除状態）。このとき、回動アーム２７０が後方位置にあることで下部パネル２００は第１位置に保持されたままとなる。
【０１０４】
次いで、所定のタイミングになったとき、駆動モータ２５０Ｌ，２５０Ｒにより、回動体２６０を第２方向（本実施例では、右側面視反時計回り）に回動させる。このとき、回動体２６０の回動力がプランジャ２７３ａ，２７３ｂにより回動アーム２７０に伝達されるため回動アーム２７０も第２方向に回動するとともに、該回動アーム２７０に連結ベルト２９０を介して連結されている下部パネル２００も後方に僅かに回動する。そして、該下部パネル２００が第３位置に位置したときに、連結軸３０６がガイド溝３２０の後端に当接して下部パネル２００の後方への移動が規制されることで、回動アーム２７０の後方への回動が規制される。このように回動アーム２７０の後方への移動が規制された状態で回動体２６０が第２方向に回動を続けて凹部２６４ａ，２６５ａが移動することで、凹部２６４ａ，２６５ａの内面によりプランジャ２７３ａ，２７３ｂの先端が圧縮バネ３１６の付勢力に抗してロック解除位置へ押し込まれていく（図１９（Ｂ）参照）。
【０１０５】
つまり、凹部２６４ａ，２６５ａによるプランジャ２７３ａ，２７３ｂの保持力が漸次小さくなり、トーションバネ２３０の付勢力が該保持力より上回ると、凹部２６４ａ，２６５ａからプランジャ２７３ａ，２７３ｂが逸脱し、伝達手段２８０は伝達状態から非伝達状態に変化するため、回動アーム２７０は回動体２６０に対し相対回動可能となり、回動アーム２７０が前方位置側へ移動可能となる。よって、図１９（Ｃ）に示すように、回動アーム２７０による下部パネル２００の保持状態が解除されるため、下部パネル２００は、トーションバネ２３０の付勢力により、第１位置から第２位置へ高速（第２速度）で移動するとともに、該下部パネル２００の移動に伴って回動アーム２７０が後方位置から前方位置へ回動する。このとき、プランジャ３１５はアーム部材３０１Ｌ，３０１Ｒの下辺３０１ｃから離れており、プランジャ３１５の抵抗がかかることがないので、アーム部材３０１Ｌ，３０１Ｒはスムーズに回動する。
【０１０６】
下部パネル２００が第２位置に到達すると、連結軸３０６がガイド溝３２０の前端に当接することで、第２位置から前方への回動が規制されるとともに、トーションバネ２３０の付勢力により第２位置に保持される。尚、ガイド溝３２０の前端に緩衝部材３２１があることで、連結軸３０６がガイド溝３２０の前端に衝突するときの衝撃が緩和されるようになっている。
【０１０７】
このように、高速突出動作では、回動アーム２７０が回動体２６０に対して相対回動可能となることで、回動アーム２７０に駆動モータ２５０Ｌ，２５０Ｒや各種ギヤ等の負荷がかかることがないとともに、プランジャ３１５がアーム部材３０１Ｒから離れて摩擦抵抗が生じることがない。よって、トーションバネ２３０の付勢力のみで、下部パネル２００を第１位置から第２位置へ高速で移動させることができる。
【０１０８】
次に、サブ制御部９１が第１位置にある下部パネル２００を低速突出動作により第２位置へ回動させる低速移動制御を行う場合の各部の作用について説明する。下部パネル２００を所定のタイミングで第１位置から第２位置へ回動させる場合、サブ制御部９１は、まず、図２０（Ａ）の状態から、ロック用モータ３１１によりラックギヤ３１４をロック位置からロック解除位置へ移動（退避）させ、突出位置にあるプランジャ３１５を切欠凹部３０４から退避させて保持状態を解除し、アーム部材３０１Ｒの前方への移動可能とする（ロック解除状態）。
【０１０９】
次いで、図２０（Ｂ）に示すように、サブ制御部９１は、駆動モータ２５０Ｌ，２５０Ｒにより回動体２６０を第１方向（本実施例では、右側面視時計回り）に低速で回動させる。つまり、プランジャ２７３ａ，２７３ｂに対し圧縮バネ２７４ａ，２７４ｂの付勢力より大きな力が作用して退避してベルト収容凹部２７６から逸脱しないように回動体２６０を第１方向に低速で回動させる。このとき、回動体２６０の回動力がプランジャ２７３ａ，２７３ｂにより回動アーム２７０に伝達されるため回動アーム２７０も第１方向に回動する。つまり、回動体２６０の回動に合わせて回動アーム２７０及び下部パネル２００が低速（第２速度よりも遅い第１速度）で回動する。そして、図２０（Ｃ）に示すように、回動アーム２７０が前方位置に位置したとき、つまり、下部パネル２００が第２位置に位置したとき、駆動モータ２５０Ｌ，２５０Ｒによる回動アーム２７０の回動が停止される。
【０１１０】
このように、低速突出動作では、トーションバネ２３０の付勢力を利用することなく、回動アーム２７０を回動体２６０とともに回動させることで、下部パネル２００を高速突出動作時よりも低速で回動させることができるため、回動態様を多様化することができる。また、サブ制御部９１は、駆動モータ２５０Ｌ，２５０Ｒにより回動速度を速くしたり遅くしたり調整することも可能である。また、第１位置と第２位置との間で下部パネル２００の回動を一時停止したりすることも可能である。
【０１１１】
次に、第２位置にある下部パネル２００の表示面２００ａを遊技者が手で押圧操作することにより第１位置へ回動させる場合の各部の作用について説明する。図２１（Ａ）に示すように、サブ制御部９１は、高速突出動作または低速突出動作により下部パネル２００の第１位置から第２位置への移動を開始させた後、ロック用モータ３１１によりラックギヤ３１４をロック解除位置からロック位置へ移動させる。このとき、切欠凹部３０４はプランジャ３１５に対応する位置にないので、プランジャ３１５はアーム部材３０１Ｒの下辺３０１ｃに当接して突出位置から退避位置に移動するが、圧縮バネ３１６の付勢力により下辺３０１ｃに対し付勢されている（ロック待機状態）。
【０１１２】
そして、図２１（Ｂ）に示すように、遊技者が手で表示面２００ａを第１位置側に向けて押し込むと、連結ベルト２９０が撓むことにより、回動アーム２７０が前方位置に維持されたままで連結軸２２１が連結軸２７１に近づくことが可能となるので、下部パネル２００の移動が許容される。下部パネル２００が第１位置まで押し込まれ、アーム部材３０１Ｒの切欠凹部３０４がプランジャ３１５に対応する位置に到達すると、圧縮バネ３１６の付勢力によりプランジャ３１５が切欠凹部３０４に嵌合されるので、下部パネル２００が第１位置に保持される（ロック状態）。
【０１１３】
また、連結ベルト２９０が撓んだとき、連結ベルト２９０の一部がベルト収容凹部２７６に収容されることで、撓んだ連結ベルト２９０が周辺の部材等に引っ掛かること等が防止されるとともに、連結ベルト２９０が不規則に撓んだり折れ曲がることがないようにベルト収容凹部２７６の内面により案内されるため、連結ベルト２９０の劣化や破断が防止される。
【０１１４】
下部パネル２００は、前述したように第１位置の後方の第３位置まで移動可能とされていることで、プランジャ３１５が圧縮バネ３１６の付勢力により切欠凹部３０４に確実に嵌合される。尚、下部パネル２００が第１位置まで押し込まれないうちに遊技者が表示面２００ａから手を放した場合、トーションバネ２３０の付勢力により第２位置に復帰することになる。
【０１１５】
図２１（Ｃ）に示すように、下部パネル２００が第１位置に保持された後、サブ制御部９１は、適宜のタイミングで駆動モータ２５０Ｌ，２５０Ｒにより回動体２６０を第２方向へ回動させて回動アーム２７０を後方位置へ移動させる。このように、適宜タイミングで回動アーム２７０を駆動初期位置に復帰させるようにすることで、下部パネル２００が第１位置まで押し込まれないうちに遊技者が表示面２００ａから手を放して第２位置に復帰してしまった場合あるいは下部パネル２００が第１位置まで押し込まれなかった場合でも、下部パネル２００を駆動機構２４１により第１位置へ復帰させることができる。
【０１１６】
次に、サブ制御部９１が第２位置にある下部パネル２００を退避動作により第１位置へ回動させる退避移動制御を行う場合の各部の作用について説明する。図２２（Ａ）に示すように、サブ制御部９１は、高速突出動作または低速突出動作により下部パネル２００の第１位置から第２位置への移動を開始させた後、ロック用モータ３１１によりラックギヤ３１４をロック解除位置からロック位置へ移動させる。このとき、切欠凹部３０４はプランジャ３１５に対応する位置にないので、プランジャ３１５はアーム部材３０１Ｒの下辺３０１ｃに当接して突出位置から退避位置に移動するが、圧縮バネ３１６の付勢力により下辺３０１ｃに対し付勢されている（ロック待機状態）。
【０１１７】
そして、図２２（Ｂ）に示すように、サブ制御部９１は、適宜タイミングで駆動モータ２５０Ｌ，２５０Ｒにより回動体２６０を第２方向へ回動させて、回動アーム２７０を後方位置へ移動させることで、連結ベルト２９０にて連結された下部パネル２００が第１位置側へ高速で移動する。次いで、図２２（Ｃ）に示すように、下部パネル２００が第１位置まで移動し、アーム部材３０１Ｒの切欠凹部３０４がプランジャ３１５に対応する位置に到達すると、圧縮バネ３１６により付勢されたプランジャ３１５が切欠凹部３０４に嵌合され、下部パネル２００が第１位置に保持されるとともに（ロック状態）、駆動モータ２５０Ｌ，２５０Ｒによる回動体２６０の回動を停止して、回動アーム２７０が後方位置に維持される。
【０１１８】
次に、第１位置にある下部パネル２００を高速突出動作により第２位置へ回動させる途中で、遊技者により下部パネル２００の移動が停止された場合における各部の作用について説明する。図２３（Ａ）に示すように、サブ制御部９１は、ロック用モータ３１１によりラックギヤ３１４をロック位置からロック解除位置へ移動（退避）させ、突出位置にあるプランジャ３１５を切欠凹部３０４から退避させて保持状態を解除し（ロック解除状態）、アーム部材３０１Ｒの前方への移動可能とするとともに、所定のタイミングになったとき、駆動モータ２５０Ｌ，２５０Ｒにより回動体２６０を第２方向に回動させ、プランジャ２７３ａ，２７３ｂを非伝達状態に変化させ、回動アーム２７０を回動体２６０に対し相対回動可能とすることで、下部パネル２００はトーションバネ２３０の付勢力により第２位置への移動を開始する。
【０１１９】
ここで、図２３（Ｂ）に示すように、下部パネル２００が第２位置に到達する前に遊技者により下部パネル２００の表示面２００ａを手や膝等で押えられて移動が停止されると、連結ベルト２９０が撓むことで、回動アーム２７０のみが回動を続けて前方位置まで移動する。つまり、下部パネル２００の移動が強制的に止められても、回動アーム２７０と下部パネル２００とを連結する連結ベルト２９０が撓むことで、連結軸２７１が連結軸２２１に近づく方向に回動アーム２７０が移動することが許容される。すなわち、下部パネル２００に加えられた外力が、連結ベルト２９０を介して回動アーム２７０へ伝達されることがないので、回動アーム２７０から伝達手段２８０であるプランジャ２７３ａ，２７３ｂを介して回動体２６０や各種ギヤ、駆動モータ２５０Ｌ，２５０Ｒに無理な負荷がかかることがないので、外力により駆動機構２４１が損傷することを防止できる。
【０１２０】
次に、第１位置にある下部パネル２００を遊技者が手で掴んで無理に第２位置側へ引っ張るといった不正動作が行われた場合における各部の作用について説明する。図２４（Ａ）に示すように、下部パネル２００が第１位置に保持されているときに、例えば、遊技者が下部パネル２００を掴んで第２位置側へ無理に引っ張った場合、下部パネル２００が第２位置側へ引っ張られる力が、後方位置にある回動アーム２７０にも伝達され、回動アーム２７０は前方位置に向けて引っ張られる。また、回動アーム２７０の回動力は、プランジャ２７３ａ，２７３ｂを介して回動体２６０さらには第７ギヤ２５７、第６ギヤ２５６、第５ギヤ２５５、第４ギヤ２５４に伝達されていくが、前述したように、第４ギヤ２５４はウォームギヤであることで、回動体２６０の回動はギヤにより規制されている。
【０１２１】
よって、図２４（Ｂ）に示すように、回動アーム２７０が引っ張られる力が所定以上になると、プランジャ２７３ａ，２７３ｂが凹部２６４ａ，２６５ａの内面により押圧されて突出位置から退避位置へ退避され、凹部２６４ａ，２６５ａから逸脱して非伝達状態に変化し、これにより回動アーム２７０が回動体２６０に対し相対回動可能となり、回動アーム２７０が後方位置から前方位置へ移動される。このように、下部パネル２００が第２位置側に向けて所定以上の力で無理に引っ張られたとき、プランジャ２７３ａ，２７３ｂが非伝達状態に変化することで、下部パネル２００に加えられた外力が駆動モータ２５０Ｌ，２５０Ｒ等まで作用して負荷がかかることが防止される。
【０１２２】
また、図２４（Ｃ）に示すように、下部パネル２００が第１位置に保持されているときに、例えば、遊技者が下部パネル２００の表示面２００ａをさらに後側へ押し込んだ場合、下部パネル２００は第３位置まで僅かに移動されるが、連結ベルト２９０が撓むことで、後方位置にある回動アーム２７０がさらに後方に押し込まれることがない。つまり、下部パネル２００に加えられた外力が連結ベルト２９０を介して回動アーム２７０に伝達されることがないので、駆動モータ２５０Ｌ，２５０Ｒ等まで作用して負荷がかかることが防止される。
【０１２３】
次に、下部パネル２００の突出動作を用いた演出の一例及びサブ制御部９１の制御内容について説明する。図２５は、（Ａ）〜（Ｄ）は、下部パネルの突出動作を用いた演出の一例を示す説明図である。図２６は、（Ａ）は高速突出動作を行うときのサブ制御部の高速移動制御内容の一例を示すタイミングチャートであり、（Ｂ）は低速突出動作を行うときのサブ制御部の低速突出制御内容の一例を示すタイミングチャートである。
【０１２４】
本実施例では、スロットマシン１は、前述したように、各々が識別可能な複数種類の図柄を変動表示可能な可変表示装置としてのリール２Ｌ，２Ｃ，２Ｒに表示結果が導出されることにより１ゲームが終了し、該リール２Ｌ，２Ｃ，２Ｒに導出された表示結果に応じて入賞が発生可能とされており、遊技を行うことにより所定条件が成立したときに所定の遊技価値が付与されるようになっている。所定の遊技価値には、例えば、遊技者にとって有利な遊技状態（例えば、ビッグボーナス、レギュラーボーナスや、通常よりも特定の入賞の発生が許容される確率が高まるリプレイタイム（ＲＴ）や、遊技者にとって有利な表示結果を導出させるための操作態様など遊技者にとって有利な情報が報知されること等により通常よりも多くの遊技用価値の獲得が期待できるアシストタイム（ＡＴ）等）や、該遊技状態が継続する権利（例えば、ＡＴの継続、ＡＴゲーム数の上乗せなど）等が含まれる。
【０１２５】
また、サブ制御部９１は、内部抽選などにより上記所定条件が成立したとき、上記のような各種遊技価値のいずれかが付与される可能性を示唆する示唆演出を実行可能であるとともに、上記所定条件の成立状況に基づいて、示唆演出における所定のタイミングにおいて、下部パネル２００を高速突出動作または低速突出動作により第２位置に移動させるとともに、該下部パネル２００の押圧操作を促進する促進演出を実行し、該促進演出の実行中に下部パネル２００が押圧操作されたとき、所定の遊技価値が付与された可能性を示唆したり、付与することが決定された遊技価値を報知する演出を実行する。
【０１２６】
以下、例えば、サブ制御部９１がＡＴゲーム数の上乗せ抽選を実行した結果、１００ゲームの上乗せが決定されたときに実行する上乗せ演出において、下部パネル２００を突出させる突出動作を実行する場合の一例について説明する。
【０１２７】
図２５に示すように、サブ制御部９１は、ＡＴゲーム数の上乗せ抽選等にて１００ゲームの上乗せを決定した場合、例えば、ゲームの開始時に液晶表示器５１の表示領域５１ａに味方キャラクタと敵キャラクタを表示した後（図２５（Ａ）参照）、味方キャラクタと敵キャラクタとが対決する上乗せ演出の画像を表示する（図２５（Ｂ）参照）。このとき、下部パネル２００は第１位置にある。
【０１２８】
次いで、上乗せ演出が開始された後、所定のタイミング（例えば、全てのリール２Ｌ，２Ｃ，２Ｒの可変表示が停止されたときなど）で、「下パネルを押せ！」という文字と下部パネル２００の画像を表示して、下部パネル２００の押圧操作を遊技者に促す促進演出を開始するとともに、下部パネル２００を高速突出動作または低速突出動作にて第１位置から第２位置へ移動させる（図２５（Ｃ）参照）。
【０１２９】
そして、所定の操作有効期間内に下部パネル２００が押圧操作されたときまたは下部パネル２００が押圧操作されずに操作有効期間が経過したとき、ＡＴゲーム数の上乗せ抽選にて決定されたＡＴゲーム数（例えば、１００ゲーム）を示す「＋１００」及び味方キャラクタの画像を表示して、所定数のＡＴゲーム数の上乗せを決定したことを遊技者に報知する（図２５（Ｄ）参照）。
【０１３０】
尚、サブ制御部９１は、ＡＴゲーム数の上乗せ抽選に当選したか否かまたは当選したゲーム数に応じて、下部パネル２００を高速突出動作及び低速突出動作のいずれで突出させるかを決定するようにしてもよく、例えば、ＡＴゲーム数の上乗せ抽選に当選したときに、当選しなかったときよりも高い割合で高速突出動作の実行を選択するようにしたり、第１ゲーム数が当選したときに、第１ゲーム数よりも少ない第２ゲーム数が当選したときよりも高い割合で高速突出動作の実行を選択するようにすることが好ましく、このようにすることで、下部パネル２００が高速突出動作で突出することへの遊技者の期待感を高めることができる。
【０１３１】
また、ここでは上乗せ演出にて下部パネル２００を突出させるパネル演出を実行する例を記載したが、本発明はこれに限定されるものではなく、他の示唆演出等において下部パネル２００の突出動作を実行するようにしてもよい。
【０１３２】
次に、図２５に示した上乗せ演出の実行中においてサブ制御部９１が下部パネル２００を高速移動制御や低速移動制御を実行するときの制御内容の一例を、図２６に基づいて説明する。
【０１３３】
図２６（Ａ）に示すように、高速移動制御を行う場合、サブ制御部９１は、演出の実行を開始してから所定期間が経過した時点ｔａ２で下部パネル２００の操作促進演出を行うときには、この時点ｔａ２から下部パネル２００の操作を有効に受け付ける操作有効期間を開始する。この場合、演出の実行を開始してから所定期間が経過する前、つまり、操作有効期間を開始する前の所定時点ｔａ１で、ロック用モータ３１１によりラックギヤ３１４をロック位置からロック解除位置へ移動させ（ロック解除状態）、プランジャ３１５が切欠凹部３０４から退避すると第４センサ３２５がｏｆｆとなる（図１９（Ｂ）参照）。
【０１３４】
その後、操作有効期間を開始する時点ｔａ２で、駆動モータ２５０Ｌ，２５０Ｒにより回動体２６０を第２方向へ移動させることでプランジャ２７３ａ，２７３ｂが非伝達状態に変化すると第１センサ２６３がｏｆｆとなり、下部パネル２００が第１位置から第２位置へ高速で移動するとともに、回動アーム２７０が後方位置から前方位置へ移動する（ｔａ３、図１９（Ｃ）参照）。尚、本実施例では、ｔａ２からｔａ３までの時間は約０．５秒とされているが、トーションバネ２３０の付勢力及び下部パネル２００の重量に応じて時間は変更可能である。また、下部パネル２００が第２位置へ移動した後、ロック用モータ３１１によりラックギヤ３１４をロック位置まで移動させてロック待機状態としておく（図２１（Ａ）参照）。
【０１３５】
次いで、操作有効期間内の所定の時点ｔａ４において下部パネル２００が押圧されて第１位置へ戻された時点ｔａ４で、プランジャ３１５が切欠凹部３０４に嵌合してガイドアーム３００の前方への移動が規制され、下部パネル２００が第１位置に保持される（ロック状態、図２１（Ｂ）参照）。その後、操作有効期間が終了した時点ｔａ５で、駆動モータ２５０Ｌ，２５０Ｒにより回動体２６０を第２方向に回動させることでプランジャ２７３ａ，２７３ｂが伝達状態に変化すると第１センサ２６３がｏｎとなり、このまま回動体２６０を第２方向に回動させて回動アーム２７０を後方位置へ移動させる（図２１（Ｃ）参照）。
【０１３６】
次に、図２６（Ｂ）に示すように、低速移動制御を行う場合、サブ制御部９１は、演出の実行を開始してから所定期間が経過した時点ｔｂ２で下部パネル２００の操作促進演出を行うとき、この時点ｔｂ２から下部パネル２００の操作を有効に受け付ける操作有効期間を開始する。この場合、演出の実行を開始してから所定期間が経過する前、つまり、操作有効期間を開始する前の所定時点ｔｂ１で、ロック用モータ３１１によりラックギヤ３１４をロック位置からロック解除位置へ移動させ（ロック解除状態）、プランジャ３１５が切欠凹部３０４から退避すると第４センサ３２５がｏｆｆとなる。
【０１３７】
その後、操作有効期間を開始する時点ｔｂ２で、駆動モータ２５０Ｌ，２５０Ｒにより回動体２６０を第１方向へ移動させることで、回動アーム２７０が後方位置から前方位置へ低速で移動し、これに伴い下部パネル２００が第１位置から第２位置へ低速で移動する（ｔｂ３、図２０（Ｂ）（Ｃ）参照）。つまりこの場合、プランジャ２７３ａ，２７３ｂは非伝達状態に変化しないので第１センサ２６３はｏｎのままとなる。尚、本実施例では、ｔｂ２からｔｂ３までの時間は約２秒とされているが、時間は任意に変更可能である。また、下部パネル２００が第２位置へ移動した後、ロック用モータ３１１によりラックギヤ３１４をロック位置まで移動させておく（ロック待機状態）。
【０１３８】
次いで、下部パネル２００が操作されずに操作有効期間が終了した場合、該操作有効期間が終了した時点ｔｂ４で、駆動モータ２５０Ｌ，２５０Ｒにより回動体２６０を第２方向へ回動させることで、回動アーム２７０が後方位置から前方位置へ移動し、これに伴い下部パネル２００が第２位置から第１位置へ移動し、プランジャ３１５が切欠凹部３０４に嵌合してガイドアーム３００の前方への移動が規制され、下部パネル２００が第１位置に保持される（ｔｂ５、ロック状態、図２１（Ｃ）参照）。
【０１３９】
尚、図２６では、サブ制御部９１が高速移動制御を行ったときに下部パネル２００が遊技者により押圧され、低速突出動作を行ったときに下部パネル２００が遊技者に押圧されない場合について説明したが、高速突出動作及び低速突出動作のいずれを行ったかに関わらず、下部パネル２００が遊技者に押圧されたときには、その時点でガイドアーム３００の前方への移動が規制されて下部パネル２００が第１位置に保持され、下部パネル２００が遊技者に押圧されなかったときには、操作有効期間が終了した時点で回動アーム２７０が移動して下部パネル２００を第１位置へ移動させ、ガイドアーム３００の前方への移動が規制されて下部パネル２００が第１位置に保持される（ロック状態）。
【０１４０】
以上説明したように、本発明の実施例としてのスロットマシン１にあっては、第１位置と該第１位置とは異なる第２位置との間で変化可能に設けられた可動体としての下部パネル２００と、下部パネル２００を第２位置側に付勢する付勢手段としてのトーションバネ２３０と、下部パネル２００に連結手段としての連結ベルト２９０を介して連結される移動体としての回動アーム２７０を有し、該回動アーム２７０を後方位置（第１移動位置）と該後方位置とは異なる前方位置（第２移動位置）との間で移動させる移動手段としての駆動ユニット２４０と、を備え、下部パネル２００は、駆動ユニット２４０が回動アーム２７０を後方位置に移動させることでトーションバネ２３０の付勢力に抗して第１位置側へ移動され、駆動ユニット２４０が回動アーム２７０を前方位置に移動可能とすることでトーションバネ２３０の付勢力により第２位置側へ移動され、連結ベルト２９０は、下部パネル２００が第２位置にあるとき、回動アーム２７０を前方位置から後方位置へ移動させることなく該下部パネル２００が第１位置側へ移動することを許容する。
【０１４１】
このようにすることで、下部パネル２００をトーションバネ２３０の付勢力を利用して第１位置から第２位置へ移動させることができるとともに、下部パネル２００が第２位置にあるとき、回動アーム２７０を前方位置から後方位置へ移動させることなく該下部パネル２００が第１位置側へ移動することが連結ベルト２９０が撓むことにより許容されることで、遊技者により表示面２００ａが押圧操作されたり、意図せずに押されたりすることにより下部パネル２００に外力が加わって第１位置側へ押されても、該外力が駆動ユニット２４０の駆動モータ２５０Ｌ，２５０Ｒや各種ギヤに作用することがないので、駆動ユニット２４０の例えば駆動モータ２５０Ｌ，２５０Ｒや各種ギヤに負荷がかかることを抑制できる。
【０１４２】
尚、本実施例では、連結手段の一例として、可撓性及び弾性を有する弾性部材である硬質ゴム材からなる連結ベルト２９０が適用されていたが、本発明はこれに限定されるものではなく、上記ゴム材以外の弾性部材、例えば、スプリングや軟質樹脂材等にて構成されていてもよい。さらに、連結手段は少なくとも可撓性を有していれば、必ずしも弾性を有していなくてもよく、例えば、紐やロープのような線状体にて構成されていてもよい。
【０１４３】
また、連結手段は、可動体（例えば、下部パネル２００）が第２位置にあるとき、移動体（例えば、回動アーム２７０）を第２移動位置から第１移動位置へ移動させることなく該可動体が第１位置側へ移動することを許容することができるもの、つまり、可動体に加えられた外力が移動手段に作用しないように、移動体側の連結部と可動体側の連結部とを近接及び離間可能とすることにより外力を逃がすことができるものであれば、第１長さと該第１長さよりも長い第２長さとに伸縮可能な伸縮部材（例えば、スプリング等）や、上記のように撓んだり湾曲したりする弾性部材や、屈曲可能な屈曲部材を適用してもよい。さらには、可撓性を有しない連結部材において移動体側の連結部と可動体側の連結部とのうち少なくとも一方の連結部との連結位置をずらすことができる連結機構（例えば、図２７にて説明する連結手段４０４など）を適用してもよい。
【０１４４】
また、本実施例では、下部パネル２００は上辺を中心として前後に回動可能に設けられていたが、第１位置と第２位置との間で変化可能に設けられていれば、下辺や左右側辺を中心として前後または左右に回動可能に設けられていてもよいし、所定方向に直線移動可能に設けられていてもよい。また、移動方向は前後方向に限定されるものではなく、左右方向に移動可能に設けられていてもよい。
【０１４５】
また、本実施例では、例えば、連結軸２２１と連結軸２７１とが可撓性を有しない連結部材にて連結されている場合、または下部パネル２００と回動アーム２７０とが一体化されている場合、可動体が下部パネル２００及び回動アーム２７０に該当し、連結手段が伝達手段２８０に該当し、移動体が回動体２６０に該当する。この場合、伝達手段２８０を備えていることで、可動体（例えば、下部パネル２００及び回動アーム２７０）が第２位置にあるとき、移動体（例えば、回動体２６０）を第２移動位置から第１移動位置へ移動させることなく該可動体が第１位置側へ移動することを許容することができる。つまり、移動体となる回動体２６０が回動しなくても、連結手段となるプランジャ２７３ａ，２７３ｂが凹部２６４ａ，２６５ａ、凹部２６４ｂ，２６５ｂから逸脱することで、可動体となる下部パネル２００及び回動アーム２７０を移動させることができる。
【０１４６】
また、本実施例では、付勢手段の一例としてトーションバネ２３０が適用されていたが、本発明はこれに限定されるものではなく、圧縮バネ、板バネ等の他のバネやエアダンパー等の他の付勢手段を適用してもよい。
【０１４７】
また、本実施例では、可動体に連結される移動体の一例として、回動可能に設けられた回動アーム２７０が適用されていたが、本発明はこれに限定されるものではなく、直線移動可能に設けられた移動体であってもよい。
【０１４８】
また、本実施例では、所定の駆動源により駆動される駆動体の一例として、回動可能に設けられた回動体２６０が適用されていたが、本発明はこれに限定されるものではなく、直線移動可能に設けられた駆動体であってもよい。
【０１４９】
また、本実施例では、駆動体の駆動力を前記移動体に伝達する手段であって、前記駆動体の駆動力を前記移動体に伝達する伝達状態において所定以上の力が加わることで前記駆動体の駆動力を前記移動体に伝達しない非伝達状態に変化する伝達手段の一例として、プランジャ２７３ａ，２７３ｂ、圧縮バネ２７４ａ，２７４ｂ、凹部２６４ａ，２６５ａ、凹部２６４ｂ，２６５ｂが適用されていたが、本発明はこれに限定されるものではなく、クラッチ機構等の他の伝達機構も適用可能である。
【０１５０】
また、駆動ユニット２４０は、駆動モータ２５０Ｌ，２５０Ｒにより駆動（回動）される駆動体としての回動体２６０と、回動体２６０の駆動力を回動アーム２７０に伝達する手段であって、回動体２６０の駆動力を回動アーム２７０に伝達する伝達状態において所定以上の力が加わることで回動体２６０の駆動力を回動アーム２７０に伝達しない非伝達状態に変化する伝達手段２８０と、を有することで、下部パネル２００が第１位置にあるときに無理に第２位置側に移動されても、所定以上の力が加わることで伝達手段２８０が非伝達状態となることで、下部パネル２００に加わった力が回動アーム２７０及び回動体２６０を介して駆動モータ２５０Ｌ，２５０Ｒや各種ギヤに作用することがないので、駆動モータ２５０Ｌ，２５０Ｒや各種ギヤに負荷がかかることを抑制できる。
【０１５１】
また、下部パネル２００は、遊技者により操作可能な操作部としての表示面２００ａを有し、第２位置へ移動することで表示面２００ａが遊技者側に近づき、第１位置へ移動することで表示面２００ａが遊技者側から遠ざかるように設けられていることで、下部パネル２００を第２位置から第１位置へ移動させるときに、表示面２００ａが遊技者から遠ざかり上方から叩きにくいことで、下部パネル２００が壊れにくくなる。
【０１５２】
また、下部パネル２００は、透光性を有する透光板としてのカバーパネル２０５と、遊技者側から見て前記透光板の奥側に配置される導光板２０７と、導光板２０７の端面に光を照射可能な発光体としての演出用ＬＥＤ２１２，２１３と、を備え、導光板２０７は、演出用ＬＥＤ２１２，２１３からの光をカバーパネル２０５側に向けて反射可能な反射部２１５を有することで、演出用ＬＥＤ２１２，２１３は導光板２０７の奥側に配置されないので、表示面２００ａを構成するカバーパネル２０５に加えられた外力が導光板２０７を通して演出用ＬＥＤ２１２，２１３に作用し、演出用ＬＥＤ２１２，２１３が破損すること等を抑制できる。
【０１５３】
また、本実施例では、遊技者側から見て導光板２０７の奥側に補強用のリブが設けられていないが、特に図示しないが、導光板２０７の奥側に補強用のリブを設けることで、例えば、導光板２０７の前面に外力が加わったときにリブにより支持されて該導光板２０７が撓むことが防止されるため、導光板２０７が破壊されにくくすることができる。
【０１５４】
また、本実施例では、下部パネル２００の側周面の一部である左右側面２００ｃに段部２００ｄが形成されているが、下部パネル２００の側周面に該下部パネル２００の移動方向（前後方向）に対し交差する方向に延設される段差が存在しないようにする（例えば、下面２００ｂや左右側面２００ｃを段差が存在しない平坦面や湾曲面にて構成するなど）ことで、遊技者が下部パネル２００の側周面を手で掴みにくくなるので、無理に第２位置側に移動されることを抑制できる。尚、側周面とは、表示面２００ａの周縁に沿って形成される左右側面や上面、下面等を含む。
【０１５５】
また、本実施例では、表示面２００ａと下面２００ｂ及び左右側面２００ｃとの間に角部が形成されているが、このような角部に面取り加工を施して湾曲状に形成することにより、表示面２００ａと下面２００ｂ及び左右側面２００ｃとを連続する一の面にて構成することで、角部に手指を掛けにくくするようにすれば、下部パネル２００が無理に第２位置側に移動されることを抑制できる。
【０１５６】
また、連結ベルト２９０はゴム材等からなり、駆動ユニット２４０は、連結ベルト２９０が弾性変形することにより、回動アーム２７０を前方位置から後方位置へ移動させることなく該下部パネル２００が第１位置側へ移動することを許容する際に、該連結ベルト２９０の一部を収容するベルト収容凹部２７６を有することで、撓んだ連結ベルト２９０が汚れたり周囲の部材に引っ掛かることを防止できる。
【０１５７】
また、下部パネル２００は、スロットマシン１の装飾パネルの一例である下部パネル２００の一部を構成する装飾面としての表示面２００ａを有することで、遊技者にインパクトを与えることができる。
【０１５８】
尚、本実施例では、可動体の一例として、スロットマシン１の下部を装飾する下部パネル２００を適用したが、本発明はこれに限定されるものではなく、下部パネル２００以外の箇所にある部材の一部を第１位置と第２位置との間で移動可能としてもよい。
【０１５９】
また、下部パネル２００は、スロットマシン１の装飾パネルの一部を構成する透光性を有する透光板としてのカバーパネル２０５と、遊技者から見てカバーパネル２０５の奥側に配置される導光板２０７と、導光板２０７の端面に光を照射可能な発光体としての演出用ＬＥＤ２１２，２１３と、導光板２０７の奥側に配置される半透明フィルム２０８と、半透明フィルム２０８の奥側に配置された装飾部材としての装飾フィルム２０９と、を備え、導光板２０７は、演出用ＬＥＤ２１２，２１３からの光をカバーパネル２０５側に向けて反射可能な反射部２１５を有することで、導光板２０７に演出用ＬＥＤ２１２，２１３からの光が入射されたときに装飾部材の装飾が見えてしまうことを防止できる。
【０１６０】
また、第１位置と該第１位置とは異なる第２位置との間で変化可能に設けられた可動体としての下部パネル２００と、下部パネル２００を第２位置側に付勢する付勢手段としてのトーションバネ２３０と、下部パネル２００に連結手段としての連結ベルト２９０を介して連結される移動体としての回動アーム２７０を有し、該回動アーム２７０を後方位置（第１移動位置）と該後方位置とは異なる前方位置（第２移動位置）との間で移動させる移動手段としての駆動ユニット２４０と、駆動ユニット２４０を制御する制御手段としてのサブ制御部９１と、を備え、駆動ユニット２４０は、駆動モータ２５０Ｌ，２５０Ｒにより駆動（回動）される駆動体としての回動体２６０と、回動体２６０の駆動力を回動アーム２７０に伝達する手段であって、回動体２６０の駆動力を回動アーム２７０に伝達する伝達状態において所定以上の力が加わることで回動体２６０の駆動力を回動アーム２７０に伝達しない非伝達状態に変化する伝達手段２８０と、を有し、サブ制御部９１は、駆動モータ２５０Ｌ，２５０Ｒにより回動体２６０を第１方向（本実施例では、右側面視時計回り）に回動させ、伝達手段２８０を伝達状態から非伝達状態に変化させずに、下部パネル２００を第１位置から第２位置へ低速（第１速度）で移動させる低速移動制御（第１移動制御）と、駆動モータ２５０Ｌ，２５０Ｒにより回動体２６０を第２方向（本実施例では、右側面視反時計回り）に回動させ、伝達手段２８０を伝達状態から非伝達状態に変化させることで、下部パネル２００をトーションバネ２３０の付勢力により第１位置から第２位置へ高速（第２速度）で移動させる高速移動制御（第２移動制御）と、を実行可能である。
【０１６１】
このようにすることで、下部パネル２００を駆動モータ２５０Ｌ，２５０Ｒの駆動力を利用して第１速度で第２位置まで移動させたり、トーションバネ２３０の付勢力を利用して第２速度で第２位置まで移動させることができることで、下部パネル２００の移動態様を多様化することができるため、演出効果が向上する。
【０１６２】
すなわち、伝達手段２８０を伝達状態から非伝達状態に変化させることにより、駆動モータ２５０Ｌ，２５０Ｒと回動アーム２７０との連結状態を解除できるようにしていることで、下部パネル２００をトーションバネ２３０の付勢力を利用して第２位置まで移動させるとき、駆動モータ２５０Ｌ，２５０Ｒの負荷がかからないため、駆動モータ２５０Ｌ，２５０Ｒの出力を高めたりすることなく、下部パネル２００を高速で第２位置へ移動させることができる。
【０１６３】
一方、伝達手段２８０を非伝達状態から伝達状態に変化させることにより、駆動モータ２５０Ｌ，２５０Ｒと回動アーム２７０とを連結状態とすることで、下部パネル２００をトーションバネ２３０の付勢力により第２位置まで移動させるときとは異なる速度で移動させることができるばかりか、第２位置へ移動する途中で移動を止めたり減速させたりすることができるため、下部パネル２００の移動態様を多様化することができる。
【０１６４】
また、本実施例では、ロック機構２４２が駆動機構２４１とは別個に設けられていることで、連結ベルト２９０に負荷をかけることなく、下部パネル２００を第１位置に保持することができる。
【０１６５】
また、下部パネル２００は、第１位置から第２位置と反対側の第３位置に移動可能であり、回動体２６０を第１方向と逆の第２方向に駆動させて伝達手段２８０を伝達状態から非伝達状態に変化させるときに第３位置へ移動することで、高速移動制御（第２移動制御）において第２位置に移動する前に弾みをつけることができる。
【０１６６】
また、本実施例では、高速移動制御（第２移動制御）を行うときに、回動体２６０を第１方向と逆の第２方向に回動させることで伝達状態を非伝達状態に変化させていることで、プランジャ２７３ａ，２７３ｂが凹部２６４ａ，２６５ａ、２６４ｂ，２６５ｂから逸脱されるときに下部パネル２００が微動することがあっても、第２位置側と反対側である第１位置側に移動するため、第２位置側への移動開始時に遊技者に違和感を与えることがない。尚、本発明はこれに限定されるものではなく、例えば、回動体２６０を瞬時に高速回動することで伝達状態を非伝達状態に変化させることができれば、回動体２６０を第１方向に回動させてもよい。
【０１６７】
また、前記実施例では、可動体としての下部パネル２００が第１位置と第２位置との間で回動軸１２３を中心として回動可能に設けられていたが、本発明はこれに限定されるものではなく、可動体は回動体でなくてもよく、例えば、図２７に示す演出ボタン４００ように、第１位置と第２位置との間を直線移動可能な可動体であってもよい。
【０１６８】
ここで、本発明の変形例としての演出ボタン４００について説明する。図２７は、（Ａ）〜（Ｃ）は本発明の変形例としての演出ボタンの動作態様を示す概略図である。
【０１６９】
図２７（Ａ）に示すように、演出ボタン４００は、例えば、スロットマシン１の操作台１２０の上面等に上下方向に移動可能に設けられる。具体的には、演出ボタン４００は、上面が開口する有底箱状に形成されたベース体４０１と、下面が開口する有底箱状に形成されベース体４０１の上部に上下方向に摺動可能に嵌挿された可動体としてのボタンカバー４０２と、ボタンカバー４０２を上方の第２位置側へ付勢する付勢手段としての圧縮バネ４０３と、ボタンカバー４０２に連結手段４０４を介して連結される移動体としての回動アーム４０５を有し、該回動アーム４０５を先端が下方を向く第１移動位置と先端が上方を向く第２移動位置との間で移動させる回動体４０６と、回動体４０６の回動力を回動アーム４０５に伝達する伝達手段４１０と、ボタンカバー４０２を下方の第１位置に保持するためのロック機構４０７と、を備えている。
【０１７０】
ボタンカバー４０２は、平面視六角形状をなす操作面４０２ａ（図２７（Ｄ）参照）を有する。また、連結手段４０４は、長孔４０４ａが形成された上下方向に延びる合成樹脂板からなり、ボタンカバー４０２の連結軸４０８と回動アーム４０５の連結軸４０９とが長孔４０４ａに挿入されている。回動アーム４０５、回動体４０６、伝達手段４１０、ロック機構４０７は、前記実施例の回動アーム２７０、回動体２６０、伝達手段２８０、ロック機構２４２と同様に構成され、図示しない駆動源及びギヤ機構にて駆動されるようになっているため、ここでの詳細な説明は省略する。
【０１７１】
ボタンカバー４０２は、図２７（Ａ）に示すように、回動体４０６が回動アーム４０５を第１移動位置に移動させることで圧縮バネ４０３の付勢力に抗して第１位置側へ移動され、ロック機構４０７が連結手段４０４をロックすることで第１位置に保持される。また、図２７（Ｂ）に示すように、伝達手段４１０を非伝達状態とし、回動アーム４０５が回動体４０６に対し相対回動可能となり第２移動位置へ回動可能となることで、圧縮バネ４０３の付勢力により第２位置側へ移動する。
【０１７２】
図２７（Ｃ）に示すように、連結手段４０４は、ボタンカバー４０２が第２位置にあるとき、回動アーム４０５を第２移動位置から第１移動位置へ移動させることなく該ボタンカバー４０２が第１位置側へ移動することを許容する。つまり、連結手段４０４は、可撓性を有しない連結部材において移動体側の連結軸４０９と可動体側の連結軸４０８とのうち少なくとも一方の連結軸との連結位置をずらすことができる連結機構とされていることで、ボタンカバー４０２の操作面４０２ａが下方に押圧されると、連結軸４０９にガイドされながら連結手段４０４が下方に移動するため、回動アーム４０５が第２移動位置にあってもボタンカバー４０２が下降することができる。
【０１７３】
このように、連結手段４０４により連結軸４０８が連結軸４０９に近づくことが許容されるため、ボタンカバー４０２に加えられた外力が図示しない駆動源に作動することがない。すなわち、連結手段４０４は、前記実施例のような可撓性を有する部材にて構成されていなくてもよい。
【０１７４】
以上、本発明の実施例を図面により説明してきたが、本発明はこの実施例に限定されるものではなく、本発明の主旨を逸脱しない範囲における変更や追加があっても本発明に含まれることは言うまでもない。
【０１７５】
前記実施例では、本発明を遊技用価値としてメダル並びにクレジットを用いて賭数が設定されるスロットマシンに適用した例ついて説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例１で賭数として３を設定する場合は、１５個の遊技球を用いて賭数を設定するものに相当する。
【０１７６】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
【０１７７】
また、前記実施例では、本発明が遊技機の一例であるスロットマシン１に適用された例が示されていたが、本発明はこれに限定されるものではなく、図２８に示すように、遊技機の他の一例であり、遊技盤１００２に遊技球を打ち込むことにより遊技を行うパチンコ遊技機１００１にも適用可能である。図２８に示すように、例えば、下部パネル２００と同様に構成された可動パネル５００を、パチンコ遊技機１００１における上皿１００３と下皿１００４との間に、操作面５００ａを前方に向けた状態で遊技者が手で操作可能に設けてもよい。
【０１７８】
このように設けた可動パネル５００の突出動作は、各種演出の実行時に行うようにすればよい。図柄の変動表示中において実行される演出としては、例えば、遊技者が所定の演出ボタンを操作したことを条件に実行される操作予告、所定の画像が段階的に切り替わるステップアップ予告、キャラクタが登場してセリフを喋るセリフ予告、所定の画像が割り込み表示されるカットイン予告といった大当りの可能性を示唆する大当り予告演出や、リーチになるか否かを示唆するリーチ予告、擬似連になるか否かを予告する擬似連予告、停止図柄を予告する停止図柄予告、遊技状態が確率変動状態であるか否か（潜伏しているか否か）を予告する潜伏予告といったように、可変表示開始時やリーチ成立時において実行される種々の予告を含み、これら各種演出において可動パネル５００の突出動作を行うようにすることが可能である。
【０１７９】
また、可動パネル５００は、図２８に示すようにパチンコ遊技機１００１における上皿１００３と下皿１００４との間に設けるものだけでなく、パチンコ遊技機１００１を構成する遊技枠における任意の箇所に設けてもよい。
【０１８０】
また、前記実施例や変形例では、可動体の一例として、遊技者が操作可能な下部パネル２００、ボタンカバー４０２、可動パネル５００等を例示したが、本発明はこれに限定されるものではなく、遊技者が操作できない可動体として遊技機に搭載されたものであってもよい。この場合、直接ではないが、遊技者により遊技盤１００２が故意に揺らされたり、製造メーカーから遊技場への輸送時や搬送時において発生する揺れにより第１位置側へ外力が加わっても該外力が移動手段に作用することがないので、移動手段に負荷がかかることを抑制できる。
【符号の説明】
【０１８１】
１        スロットマシン
９１      サブ制御部
２００    下部パネル
２３０    トーションバネ
２４０    駆動ユニット
２４１    駆動機構
２４２    ロック機構
２６０    回動体
２７０    回動アーム
２７３ａ，２７３ｂ  プランジャ
２８０    伝達手段
２９０    連結ベルト
３００    ガイドアーム
【図１】
2015077190.tif 000003
【図２】
2015077190.tif 000004
【図３】
2015077190.tif 000005
【図４】
2015077190.tif 000006
【図５】
2015077190.tif 000007
【図６】
2015077190.tif 000008
【図７】
2015077190.tif 000009
【図８】
2015077190.tif 000010
【図９】
2015077190.tif 000011
【図１０】
2015077190.tif 000012
【図１１】
2015077190.tif 000013
【図１２】
2015077190.tif 000014
【図１３】
2015077190.tif 000015
【図１４】
2015077190.tif 000016
【図１５】
2015077190.tif 000017
【図１６】
2015077190.tif 000018
【図１７】
2015077190.tif 000019
【図１８】
2015077190.tif 000020
【図１９】
2015077190.tif 000021
【図２０】
2015077190.tif 000022
【図２１】
2015077190.tif 000023
【図２２】
2015077190.tif 000024
【図２３】
2015077190.tif 000025
【図２４】
2015077190.tif 000026
【図２５】
2015077190.tif 000027
【図２６】
2015077190.tif 000028
【図２７】
2015077190.tif 000029
【図２８】
2015077190.tif 000030